(57)【要約】ワイヤレス通信のための方法、システム、およびデバイスが説明される。基地局は、チャネルの複数のリソースブロックに関連付けられたチャネルラスタを識別し得る。複数のリソースブロックは、チャネルラスタに対して非対称関係を有し得る。基地局は、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成し得る。基地局は、リソースブロックオフセットメトリックのインジケーションを伝達するために、メッセージを送信し得る。【選択図】図３
2020521375.tif 000002
【特許請求の範囲】
【請求項１】
ワイヤレス通信のための方法であって、
チャネルの複数のリソースブロックに関連付けられたチャネルラスタを識別することと、前記複数のリソースブロックは、前記チャネルラスタに対して非対称関係を有する、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成することと、
前記リソースブロックオフセットメトリックの前記インジケーションを伝達するために、前記メッセージを送信することと
を備える、方法。
【請求項２】
前記チャネルは、アップリンクチャネル、ダウンリンクチャネル、またはそれらの組み合わせのうちの少なくとも１つに関連付けられる、
請求項１に記載の方法。
【請求項３】
前記メッセージは、ブロードキャストメッセージ、ユーザ機器（ＵＥ）固有メッセージ、またはそれらの組み合わせのうちの少なくとも１つを備える、
請求項１に記載の方法。
【請求項４】
前記第１のリソースブロックと前記チャネルラスタとの間のオフセット距離を、前記非対称関係に少なくとも部分的に基づいて識別すること、ここにおいて、前記ロケーション情報は、前記オフセット距離を備える、
をさらに備える、請求項１に記載の方法。
【請求項５】
前記オフセット距離は、周波数オフセットまたはリソースブロックカウントオフセットのうちの少なくとも１つを備える、
請求項４に記載の方法。
【請求項６】
前記第１のリソースブロックに関連付けられた周波数を、前記非対称関係に少なくとも部分的に基づいて識別すること、ここにおいて、前記ロケーション情報は、前記周波数を備える、
をさらに備える、請求項１に記載の方法。
【請求項７】
前記複数のリソースブロックに関連付けられたリソースブロックカウントを、前記非対称関係に少なくとも部分的に基づいて識別すること、ここにおいて、前記ロケーション情報は、前記リソースブロックカウントを備える、
をさらに備える、請求項６に記載の方法。
【請求項８】
ユーザ機器（ＵＥ）能力を識別することと、
前記ＵＥ能力に少なくとも部分的に基づいて、前記チャネルラスタを識別することと
をさらに備える、請求項１に記載の方法。
【請求項９】
前記リソースブロックオフセットメトリックの前記インジケーションを伝達するために、シグナリングスキームを前記ＵＥ能力に少なくとも部分的に基づいて選択すること
をさらに備える、請求項８に記載の方法。
【請求項１０】
前記複数のリソースブロック中の１つまたは複数の未使用のリソースブロックを識別することと、
前記１つまたは複数の未使用のリソースブロックに関連付けられたロケーションパラメータを示すように、前記メッセージを前記１つまたは複数の未使用のリソースブロックに少なくとも部分的に基づいて構成することと
をさらに備える、請求項１に記載の方法。
【請求項１１】
前記ロケーションパラメータは、連続するリソースブロックに関連付けられたリソースブロックカウントおよび前記第１のリソースブロック、前記１つまたは複数の未使用のリソースブロックに関連付けられた識別子、またはそれらの組み合わせうちの少なくとも１つを備える、
請求項１０に記載の方法。
【請求項１２】
前記１つまたは複数の未使用のリソースブロックの各々は、所定の数の割り振られていないリソース要素を有するリソースブロックを備える、
請求項１０に記載の方法。
【請求項１３】
帯域の第１のチャネルと第２のチャネルとの間の同期ラスタオフセットを識別することと、前記第１のチャネルおよび前記第２のチャネルは、共通リソースブロックグリッドを共有する、
前記同期ラスタオフセット間にある前記共通リソースブロックグリッドの各リソースブロックエントリ上で同期信号を送信することと
をさらに備える、請求項１に記載の方法。
【請求項１４】
前記同期ラスタオフセットは、９００ＫＨｚラスタオフセットを備え、および各リソースブロックエントリは、１００ＫＨｚ刻みでロケートされる、
請求項１３に記載の方法。
【請求項１５】
帯域の第１のチャネルと第２のチャネルとの間の同期ラスタオフセットを識別することと、前記第１のチャネルおよび前記第２のチャネルは、共通リソースブロックグリッドを共有する、
前記共通リソースブロックグリッド上にある２つのエントリ間にある各チャネルラスタエントリ上で同期信号を送信することと
をさらに備える、請求項１に記載の方法。
【請求項１６】
ワイヤレス通信のための方法であって、
リソースブロックオフセットメトリックのインジケーションを備えるメッセージを受信することと、
チャネルの複数のリソースブロックに関連付けられたチャネルラスタを、前記リソースブロックオフセットメトリックに少なくとも部分的に基づいて識別することと、前記複数のリソースブロックは、前記チャネルラスタに対して非対称関係を有する、
を備える、方法。
【請求項１７】
前記メッセージは、ブロードキャストメッセージ、ユーザ機器（ＵＥ）固有メッセージ、またはそれらの組み合わせのうちの少なくとも１つを備える、
請求項１６に記載の方法。
【請求項１８】
第１のリソースブロックと前記チャネルラスタとの間のオフセット距離を、前記非対称関係に少なくとも部分的に基づいて識別すること、ここにおいて、前記リソースブロックオフセットメトリックは、前記オフセット距離を備える、
をさらに備える、請求項１６に記載の方法。
【請求項１９】
前記オフセット距離は、周波数オフセットまたはリソースブロックカウントオフセットのうちの少なくとも１つを備える、
請求項１８に記載の方法。
【請求項２０】
第１のリソースブロックに関連付けられた周波数を、前記非対称関係に少なくとも部分的に基づいて識別すること、ここにおいて、前記リソースブロックオフセットメトリックは、前記周波数を備える、
をさらに備える、請求項１６に記載の方法。
【請求項２１】
前記複数のリソースブロックに関連付けられたリソースブロックカウントを、前記非対称関係に少なくとも部分的に基づいて識別すること、ここにおいて、前記リソースブロックオフセットメトリックは、前記リソースブロックカウントを備える、
をさらに備える、請求項２０に記載の方法。
【請求項２２】
前記複数のリソースブロック中に１つまたは複数の未使用のリソースブロックが存在することを、前記メッセージに少なくとも部分的に基づいて決定することと、
前記１つまたは複数の未使用のリソースブロックに関連付けられたロケーションパラメータを、前記メッセージに少なくとも部分的に基づいて識別することと
をさらに備える、請求項１６に記載の方法。
【請求項２３】
前記ロケーションパラメータは、連続するリソースブロックに関連付けられたリソースブロックカウントおよび第１のリソースブロック、前記１つまたは複数の未使用のリソースブロックに関連付けられた識別子、またはそれらの組み合わせうちの少なくとも１つを備える、
請求項２２に記載の方法。
【請求項２４】
前記１つまたは複数の未使用のリソースブロックの各々は、所定の数の割り振られていないリソース要素を有するリソースブロックを備える、
請求項２２に記載の方法。
【請求項２５】
帯域の第１のチャネルと第２のチャネルとの間の同期ラスタオフセットを、前記メッセージに少なくとも部分的に基づいて識別することと、前記第１のチャネルおよび前記第２のチャネルは、共通リソースブロックグリッドを共有する、
前記同期ラスタオフセット間にある前記共通リソースブロックグリッドの各リソースブロックエントリ上で同期信号についてモニタすることと
をさらに備える、請求項１６に記載の方法。
【請求項２６】
前記同期ラスタオフセットは、９００ＫＨｚラスタオフセットを備える、
請求項２５に記載の方法。
【請求項２７】
帯域の第１のチャネルと第２のチャネルとの間の同期ラスタオフセットを、前記メッセージに少なくとも部分的に基づいて識別することと、前記第１のチャネルおよび前記第２のチャネルは、共通リソースブロックグリッドを共有する、
前記共通リソースブロックグリッド上にある２つのエントリ間にある各チャネルラスタエントリ上で同期信号についてモニタすることと
をさらに備える、請求項１６に記載の方法。
【請求項２８】
ワイヤレス通信のための装置であって、
チャネルの複数のリソースブロックに関連付けられたチャネルラスタを識別するための手段と、前記複数のリソースブロックは、前記チャネルラスタに対して非対称関係を有する、
前記複数のリソースブロックのうちの第１のリソースブロックに関連付けられたロケーション情報および前記チャネルラスタのインジケーションを備えるリソースブロックオフセットメトリックを示すように、メッセージを前記非対称関係に少なくとも部分的に基づいて構成するための手段と、
前記リソースブロックオフセットメトリックの前記インジケーションを伝達するために、前記メッセージを送信するための手段と
を備える、装置。
【請求項２９】
前記チャネルは、アップリンクチャネル、ダウンリンクチャネル、またはそれらの組み合わせのうちの少なくとも１つに関連付けられる、
請求項２８に記載の装置。
【請求項３０】
前記メッセージは、ブロードキャストメッセージ、ユーザ機器（ＵＥ）固有メッセージ、またはそれらの組み合わせのうちの少なくとも１つを備える、
請求項２８に記載の装置。
【請求項３１】
前記第１のリソースブロックと前記チャネルラスタとの間のオフセット距離を、前記非対称関係に少なくとも部分的に基づいて識別するための手段、ここにおいて、前記ロケーション情報は、前記オフセット距離を備える、
をさらに備える、請求項２８に記載の装置。
【請求項３２】
前記オフセット距離は、周波数オフセットまたはリソースブロックカウントオフセットのうちの少なくとも１つを備える、
請求項３１に記載の装置。
【請求項３３】
前記第１のリソースブロックに関連付けられた周波数を、前記非対称関係に少なくとも部分的に基づいて識別するための手段、ここにおいて、前記ロケーション情報は、前記周波数を備える、
をさらに備える、請求項２８に記載の装置。
【請求項３４】
前記複数のリソースブロックに関連付けられたリソースブロックカウントを、前記非対称関係に少なくとも部分的に基づいて識別するための手段、ここにおいて、前記ロケーション情報は、前記リソースブロックカウントを備える、
をさらに備える、請求項３３に記載の装置。
【請求項３５】
ユーザ機器（ＵＥ）能力を識別するための手段と、
前記ＵＥ能力に少なくとも部分的に基づいて、前記チャネルラスタを識別するための手段と
をさらに備える、請求項２８に記載の装置。
【請求項３６】
前記リソースブロックオフセットメトリックの前記インジケーションを伝達するために、シグナリングスキームを前記ＵＥ能力に少なくとも部分的に基づいて選択するための手段
をさらに備える、請求項３５に記載の装置。
【請求項３７】
前記複数のリソースブロック中の１つまたは複数の未使用のリソースブロックを識別するための手段と、
前記１つまたは複数の未使用のリソースブロックに関連付けられたロケーションパラメータを示すように、前記メッセージを前記１つまたは複数の未使用のリソースブロックに少なくとも部分的に基づいて構成するための手段と
をさらに備える、請求項２８に記載の装置。
【請求項３８】
前記ロケーションパラメータは、連続するリソースブロックに関連付けられたリソースブロックカウントおよび前記第１のリソースブロック、前記１つまたは複数の未使用のリソースブロックに関連付けられた識別子、またはそれらの組み合わせうちの少なくとも１つを備える、
請求項３７に記載の装置。
【請求項３９】
前記１つまたは複数の未使用のリソースブロックの各々は、所定の数の割り振られていないリソース要素を有するリソースブロックを備える、
請求項３７に記載の装置。
【請求項４０】
帯域の第１のチャネルと第２のチャネルとの間の同期ラスタオフセットを識別するための手段と、前記第１のチャネルおよび前記第２のチャネルは、共通リソースブロックグリッドを共有する、
前記同期ラスタオフセット間にある前記共通リソースブロックグリッドの各リソースブロックエントリ上で同期信号を送信するための手段と
をさらに備える、請求項２８に記載の装置。
【請求項４１】
前記同期ラスタオフセットは、９００ＫＨｚラスタオフセットを備え、および各リソースブロックエントリは、１００ＫＨｚ刻みでロケートされる、
請求項４０に記載の装置。
【請求項４２】
帯域の第１のチャネルと第２のチャネルとの間の同期ラスタオフセットを識別するための手段と、前記第１のチャネルおよび前記第２のチャネルは、共通リソースブロックグリッドを共有する、
前記共通リソースブロックグリッド上にある２つのエントリ間にある各チャネルラスタエントリ上で同期信号を送信するための手段と
をさらに備える、請求項２８に記載の装置。
【請求項４３】
ワイヤレス通信のための装置であって、
リソースブロックオフセットメトリックのインジケーションを備えるメッセージを受信するための手段と、
チャネルの複数のリソースブロックに関連付けられたチャネルラスタを、前記リソースブロックオフセットメトリックに少なくとも部分的に基づいて識別するための手段と、前記複数のリソースブロックは、前記チャネルラスタに対して非対称関係を有する、
を備える、装置。
【請求項４４】
前記メッセージは、ブロードキャストメッセージ、ユーザ機器（ＵＥ）固有メッセージ、またはそれらの組み合わせのうちの少なくとも１つを備える、
請求項４３に記載の装置。
【請求項４５】
第１のリソースブロックと前記チャネルラスタとの間のオフセット距離を、前記非対称関係に少なくとも部分的に基づいて識別するための手段、ここにおいて、前記リソースブロックオフセットメトリックは、前記オフセット距離を備える、
をさらに備える、請求項４３に記載の装置。
【請求項４６】
前記オフセット距離は、周波数オフセットまたはリソースブロックカウントオフセットのうちの少なくとも１つを備える、
請求項４５に記載の装置。
【請求項４７】
第１のリソースブロックに関連付けられた周波数を、前記非対称関係に少なくとも部分的に基づいて識別するための手段、ここにおいて、前記リソースブロックオフセットメトリックは、前記周波数を備える、
をさらに備える、請求項４３に記載の装置。
【請求項４８】
前記複数のリソースブロックに関連付けられたリソースブロックカウントを、前記非対称関係に少なくとも部分的に基づいて識別するための手段、ここにおいて、前記リソースブロックオフセットメトリックは、前記リソースブロックカウントを備える、
をさらに備える、請求項４７に記載の装置。
【請求項４９】
前記複数のリソースブロック中に１つまたは複数の未使用のリソースブロックが存在することを、前記メッセージに少なくとも部分的に基づいて決定するための手段と、
前記１つまたは複数の未使用のリソースブロックに関連付けられたロケーションパラメータを、前記メッセージに少なくとも部分的に基づいて識別するための手段と
をさらに備える、請求項４３に記載の装置。
【請求項５０】
前記ロケーションパラメータは、連続するリソースブロックに関連付けられたリソースブロックカウントおよび第１のリソースブロック、前記１つまたは複数の未使用のリソースブロックに関連付けられた識別子、またはそれらの組み合わせうちの少なくとも１つを備える、
請求項４９に記載の装置。
【請求項５１】
前記１つまたは複数の未使用のリソースブロックの各々は、所定の数の割り振られていないリソース要素を有するリソースブロックを備える、
請求項４９に記載の装置。
【請求項５２】
帯域の第１のチャネルと第２のチャネルとの間の同期ラスタオフセットを、前記メッセージに少なくとも部分的に基づいて識別するための手段と、前記第１のチャネルおよび前記第２のチャネルは、共通リソースブロックグリッドを共有する、
前記同期ラスタオフセット間にある前記共通リソースブロックグリッドの各リソースブロックエントリ上で同期信号についてモニタするための手段と
をさらに備える、請求項４３に記載の装置。
【請求項５３】
前記同期ラスタオフセットは、９００ＫＨｚラスタオフセットを備える、
請求項５２に記載の装置。
【請求項５４】
帯域の第１のチャネルと第２のチャネルとの間の同期ラスタオフセットを、前記メッセージに少なくとも部分的に基づいて識別するための手段と、前記第１のチャネルおよび前記第２のチャネルは、共通リソースブロックグリッドを共有する、
前記共通リソースブロックグリッド上にある２つのエントリ間にある各チャネルラスタエントリ上で同期信号についてモニタするための手段と
をさらに備える、請求項４３に記載の装置。
【発明の詳細な説明】
【関連出願の相互参照】
【０００１】
[0001]  本特許出願は、２０１８年５月１６日に出願された「Channel and Sync Raster Signaling」と題されたGheorghiu他による米国特許出願第１５／９８１，８５８号、および２０１７年５月１９日に出願された「Channel and Sync Raster Signaling」と題されたGheorghiu他による米国仮特許出願第６２／５０８，８７９号の優先権を主張し、それらの各々は、本願の譲受人に譲渡される。
【背景技術】
【０００２】
[0002]  以下は概して、ワイヤレス通信（wireless communication）に関し、より具体的には、チャネルおよび同期ラスタシグナリングに（channel and sync raster signaling）関する。
【０００３】
[0003]  ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新無線（ＮＲ：New Radio）システム）を含む。ワイヤレス多元接続通信システムは、いくつかの基地局またはアクセスネットワークノードを含み得、各々が、複数の通信デバイスのための通信を同時にサポートし、それは、別名ユーザ機器（ＵＥ：user equipment）として知られ得る。
【０００４】
[0004]  ある特定のワイヤレス通信システムは、チャネルラスタ（channel raster）を含み得、それは概して、通信するために利用可能であるチャネル内のステップまたは周波数（frequency）である。一例として、ＬＴＥ構成のワイヤレス通信システムは、１００ＫＨｚのチャネルラスタを含み得る。従来、チャネルラスタは、チャネルラスタがリソースブロック（resource block）に対して対称である、例えば、チャネルラスタの左および右に同じ数のリソースブロックが存在するように、チャネルの中心にロケート（locate）されている。ワイヤレス通信システムの中には、リソースブロックグリッド（resource block grid）内にガードバンド（またはギャップ）を挿入する必要なしに、帯域内連続キャリアアグリゲーション（ＣＡ：carrier aggregation）をサポートするように構成されるものがあり得る。例えば、２つのコンポーネントキャリア（ＣＣ：component carrier）間の距離は、リソースブロックサイズおよびチャネルラスタ粒度（channel raster granularity）の倍数であり得る。これは、リソースブロックサイズが変動するとき（例えば）および／または他の構成がチャネルの中心からチャネルラスタを遠ざけるとき、問題を提示し得る。
【発明の概要】
【０００５】
[0005]  説明される技法は、チャネルラスタに基づいて通信チャネルまたは同期チャネルを識別するか、またはチャネルおよび同期ラスタシグナリングをサポートする改善された方法、システム、デバイス、または装置に関する。概して、説明される技法は、チャネルラスタがチャネルの中心にロケートされていない状況における、例えば、リソースブロックがチャネルラスタに対して非対称であるときの、チャネルラスタ、チャネルラスタに関連するチャネルリソース使用、およびロケーション情報（location information）のデバイスへのシグナリングのための、またはチャネル／同期ラスタロケーションの最適化のための方法を提供する。概して、チャネルラスタに対して非対称であるリソースブロック、またはその逆への言及は、チャネルラスタの両側上に等しい数のリソースブロックが存在しない、例えば、チャネルラスタの左および右のリソースブロックの数が異なるような、チャネルの中心からオフセット（offset）されたチャネルラスタを指す。それ故に、いくつかの態様では、ネットワーク（例えば、ユーザ機器（ＵＥ）と通信している基地局）は、チャネルラスタがチャネル（例えば、コンポーネントキャリア（ＣＣ））の中心に据えられていないことを選択、決定、またはそうでない場合は識別することと、チャネルラスタを示す情報およびまたチャネルラスタに対するリソースブロックのロケーションを示す情報（例えば、第１のリソースブロック、（周波数、リソースブロックの数、サブキャリアの数、および同様のものにおける）チャネルラスタに対する第１のリソースブロックについてのオフセット）を送信することとを行い得る。ネットワークは、チャネルごとにおよび／またはＵＥごとにチャネルラスタオフセット情報（channel raster offset information）を識別し得る。ネットワークはまた、チャネルごとに（例えば、全てのデバイスへのブロードキャスト）および／またはＵＥごとに（例えば、特定のＵＥへのユニキャスト送信）、インジケーション（indication）を送信し得る。その上、チャネルラスタオフセット情報は、アップリンクおよび／またはダウンリンクチャネル（downlink channel）に関連付けられ得る。
【０００６】
[0006]  ワイヤレス通信の方法が説明される。方法は、チャネルの複数のリソースブロックに関連付けられたチャネルラスタを識別することと、複数のリソースブロックは、チャネルラスタに対して非対称関係（asymmetric relation）を有し、複数のリソースブロックのうちの第１のリソースブロックに関連付けられたロケーション情報およびチャネルラスタのインジケーションを備えるリソースブロックオフセットメトリック（resource block offset metric）を示すように、メッセージ（message）を非対称関係に少なくとも部分的に基づいて構成することと、リソースブロックオフセットメトリックのインジケーションを伝達するために、メッセージを送信することとを含み得る。
【０００７】
[0007]  ワイヤレス通信のための装置が説明される。装置は、チャネルの複数のリソースブロックに関連付けられたチャネルラスタを識別するための手段と、複数のリソースブロックは、チャネルラスタに対して非対称関係を有し、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成するための手段と、リソースブロックオフセットメトリックのインジケーションを伝達するために、メッセージを送信するための手段とを含み得る。
【０００８】
[0008]  ワイヤレス通信のための別の装置が説明される。装置は、プロセッサと、プロセッサと電子通信状態にあるメモリと、メモリ中に記憶された命令とを含み得る。命令は、プロセッサに、チャネルの複数のリソースブロックに関連付けられたチャネルラスタを識別することと、複数のリソースブロックは、チャネルラスタに対して非対称関係を有し、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成することと、リソースブロックオフセットメトリックのインジケーションを伝達するために、メッセージを送信することとを行わせるように動作可能であり得る。
【０００９】
[0009]  ワイヤレス通信のための非一時的コンピュータ可読媒体（non-transitory computer readable medium）が説明される。非一時的コンピュータ可読媒体は、プロセッサに、チャネルの複数のリソースブロックに関連付けられたチャネルラスタを識別することと、複数のリソースブロックは、チャネルラスタに対して非対称関係を有し、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成することと、リソースブロックオフセットメトリックのインジケーションを伝達するために、メッセージを送信することとを行わせるように動作可能である命令を含み得る。
【００１０】
[0010]  上述された方法、装置、および非一時的コンピュータ可読媒体のいくつかの例では、チャネルは、アップリンクチャネル（uplink channel）、ダウンリンクチャネル（downlink channel）、またはそれらの組み合わせのうちの少なくとも１つに関連付けられ得る。
【００１１】
[0011]  上述された方法、装置、および非一時的コンピュータ可読媒体のいくつかの例では、メッセージは、ブロードキャストメッセージ（broadcast message）、ＵＥ固有メッセージ（specific message）、またはそれらの組み合わせのうちの少なくとも１つを備える。
【００１２】
[0012]  上述された方法、装置、および非一時的コンピュータ可読媒体のいくつかの例はさらに、第１のリソースブロックとチャネルラスタとの間のオフセット距離（offset distance）を、非対称関係に少なくとも部分的に基づいて識別するためのプロセス、特徴、手段、または命令を含み得、ここにおいて、ロケーション情報は、オフセット距離を備える。
【００１３】
[0013]  上述された方法、装置、および非一時的コンピュータ可読媒体のいくつかの例では、オフセット距離は、周波数オフセット（frequency offset）またはリソースブロックカウントオフセット（resource block count offset）のうちの少なくとも１つを備える。
【００１４】
[0014]  上述された方法、装置、および非一時的コンピュータ可読媒体のいくつかの例はさらに、第１のリソースブロックに関連付けられた周波数を、非対称関係に少なくとも部分的に基づいて識別するためのプロセス、特徴、手段、または命令を含み得、ここにおいて、ロケーション情報は、周波数を備える。
【００１５】
[0015]  上述された方法、装置、および非一時的コンピュータ可読媒体のいくつかの例はさらに、複数のリソースブロックに関連付けられたリソースブロックカウント（resource block count）を、非対称関係に少なくとも部分的に基づいて識別するためのプロセス、特徴、手段、または命令を含み得、ここにおいて、ロケーション情報は、リソースブロックカウントを備える。
【００１６】
[0016]  上述された方法、装置、および非一時的コンピュータ可読媒体のいくつかの例はさらに、ＵＥ能力（capability）を識別するためのプロセス、特徴、手段、または命令を含み得る。上述された方法、装置、および非一時的コンピュータ可読媒体のいくつかの例はさらに、ＵＥ能力に少なくとも部分的に基づいて、チャネルラスタを識別するためのプロセス、特徴、手段、または命令を含み得る。
【００１７】
[0017]  上述された方法、装置、および非一時的コンピュータ可読媒体のいくつかの例はさらに、リソースブロックオフセットメトリックのインジケーションを伝達するために、シグナリングスキーム（signaling scheme）をＵＥ能力に少なくとも部分的に基づいて選択するためのプロセス、特徴、手段、または命令を含み得る。
【００１８】
[0018]  上述された方法、装置、および非一時的コンピュータ可読媒体のいくつかの例はさらに、複数のリソースブロック中の１つまたは複数の未使用のリソースブロック（unused resource block）を識別するためのプロセス、特徴、手段、または命令を含み得る。上述された方法、装置、および非一時的コンピュータ可読媒体のいくつかの例はさらに、１つまたは複数の未使用のリソースブロックに関連付けられたロケーションパラメータ（location parameter）を示すように、メッセージを１つまたは複数の未使用のリソースブロックに少なくとも部分的に基づいて構成するためのプロセス、特徴、手段、または命令を含み得る。
【００１９】
[0019]  上述された方法、装置、および非一時的コンピュータ可読媒体のいくつかの例では、ロケーションパラメータは、連続するリソースブロック（contiguous resource blocks）に関連付けられたリソースブロックカウントおよび第１のリソースブロック、１つまたは複数の未使用のリソースブロックに関連付けられた識別子（identifier）、またはそれらの組み合わせうちの少なくとも１つを備える。
【００２０】
[0020]  上述された方法、装置、および非一時的コンピュータ可読媒体のいくつかの例では、１つまたは複数の未使用のリソースブロックの各々は、所定の数の割り振られていないリソース要素（unallocated resource element）を有するリソースブロックを備える。
【００２１】
[0021]  上述された方法、装置、および非一時的コンピュータ可読媒体のいくつかの例はさらに、帯域（band）の第１のチャネルと第２のチャネルとの間の同期ラスタオフセット（synchronization raster offset）を識別するためのプロセス、特徴、手段、または命令を含み得、第１のチャネルおよび第２のチャネルは、共通リソースブロックグリッド（common resource block grid）を共有する。上述された方法、装置、および非一時的コンピュータ可読媒体のいくつかの例はさらに、同期ラスタオフセット間にあり得る共通リソースブロックグリッドの各リソースブロックエントリ（each resource block entry）上で同期信号（synchronization signal）を送信するためのプロセス、特徴、手段、または命令を含み得る。
【００２２】
[0022]  上述された方法、装置、および非一時的コンピュータ可読媒体のいくつかの例では、同期ラスタオフセットは、９００ＫＨｚラスタオフセット（900 KHz raster offset）を備え、および各リソースブロックエントリは、１００ＫＨｚ刻みで（at 100 KHz increments）ロケートされ得る。
【００２３】
[0023]  上述された方法、装置、および非一時的コンピュータ可読媒体のいくつかの例はさらに、帯域の第１のチャネルと第２のチャネルとの間の同期ラスタオフセットを識別するためのプロセス、特徴、手段、または命令を含み得、第１のチャネルおよび第２のチャネルは、共通リソースブロックグリッドを共有する。上述された方法、装置、および非一時的コンピュータ可読媒体のいくつかの例はさらに、共通リソースブロックグリッド上にあり得る２つのエントリ間にあり得る各チャネルラスタエントリ（each channel raster entry）上で同期信号を送信するためのプロセス、特徴、手段、または命令を含み得る。
【００２４】
[0024]  ワイヤレス通信の方法が説明される。方法は、リソースブロックオフセットメトリックのインジケーションを備えるメッセージを受信することと、チャネルの複数のリソースブロックに関連付けられたチャネルラスタを、リソースブロックオフセットメトリックに少なくとも部分的に基づいて識別することとを含み得、複数のリソースブロックは、チャネルラスタに対して非対称関係を有する。
【００２５】
[0025]  ワイヤレス通信のための装置が説明される。装置は、リソースブロックオフセットメトリックのインジケーションを備えるメッセージを受信するための手段と、チャネルの複数のリソースブロックに関連付けられたチャネルラスタを、リソースブロックオフセットメトリックに少なくとも部分的に基づいて識別するための手段とを含み得、複数のリソースブロックは、チャネルラスタに対して非対称関係を有する。
【００２６】
[0026]  ワイヤレス通信のための別の装置が説明される。装置は、プロセッサと、プロセッサと電子通信状態にあるメモリと、メモリ中に記憶された命令とを含み得る。命令は、プロセッサに、リソースブロックオフセットメトリックのインジケーションを備えるメッセージを受信することと、チャネルの複数のリソースブロックに関連付けられたチャネルラスタを、リソースブロックオフセットメトリックに少なくとも部分的に基づいて識別することとを行わせるように動作可能であり得、複数のリソースブロックは、チャネルラスタに対して非対称関係を有する。
【００２７】
[0027]  ワイヤレス通信のための非一時的コンピュータ可読媒体が説明される。非一時的コンピュータ可読媒体は、プロセッサに、リソースブロックオフセットメトリックのインジケーションを備えるメッセージを受信することと、チャネルの複数のリソースブロックに関連付けられたチャネルラスタを、リソースブロックオフセットメトリックに少なくとも部分的に基づいて識別することとを行わせるように動作可能である命令を含み得、複数のリソースブロックは、チャネルラスタに対して非対称関係を有する。
【００２８】
[0028]  上述された方法、装置、および非一時的コンピュータ可読媒体のいくつかの例では、メッセージは、ブロードキャストメッセージ、ＵＥ固有メッセージ、またはそれらの組み合わせのうちの少なくとも１つを備える。
【００２９】
[0029]  上述された方法、装置、および非一時的コンピュータ可読媒体のいくつかの例はさらに、第１のリソースブロックとチャネルラスタとの間のオフセット距離を、非対称関係に少なくとも部分的に基づいて識別するためのプロセス、特徴、手段、または命令を含み得、ここにおいて、リソースブロックオフセットメトリックは、オフセット距離を備える。
【００３０】
[0030]  上述された方法、装置、および非一時的コンピュータ可読媒体のいくつかの例では、オフセット距離は、周波数オフセットまたはリソースブロックカウントオフセットのうちの少なくとも１つを備える。
【００３１】
[0031]  上述された方法、装置、および非一時的コンピュータ可読媒体のいくつかの例はさらに、第１のリソースブロックに関連付けられた周波数を、非対称関係に少なくとも部分的に基づいて識別するためのプロセス、特徴、手段、または命令を含み得、ここにおいて、リソースブロックオフセットメトリックは、周波数を備える。
【００３２】
[0032]  上述された方法、装置、および非一時的コンピュータ可読媒体のいくつかの例はさらに、複数のリソースブロックに関連付けられたリソースブロックカウントを、非対称関係に少なくとも部分的に基づいて識別するためのプロセス、特徴、手段、または命令を含み得、ここにおいて、リソースブロックオフセットメトリックは、リソースブロックカウントを備える。
【００３３】
[0033]  上述された方法、装置、および非一時的コンピュータ可読媒体のいくつかの例はさらに、複数のリソースブロック中に１つまたは複数の未使用のリソースブロックが存在し得ることを、メッセージに少なくとも部分的に基づいて決定するためのプロセス、特徴、手段、または命令を含み得る。上述された方法、装置、および非一時的コンピュータ可読媒体のいくつかの例はさらに、１つまたは複数の未使用のリソースブロックに関連付けられたロケーションパラメータを、メッセージに少なくとも部分的に基づいて識別するためのプロセス、特徴、手段、または命令を含み得る。
【００３４】
[0034]  上述された方法、装置、および非一時的コンピュータ可読媒体のいくつかの例では、ロケーションパラメータは、連続するリソースブロックに関連付けられたリソースブロックカウントおよび第１のリソースブロック、１つまたは複数の未使用のリソースブロックに関連付けられた識別子、またはそれらの組み合わせうちの少なくとも１つを備える。
【００３５】
[0035]  上述された方法、装置、および非一時的コンピュータ可読媒体のいくつかの例では、１つまたは複数の未使用のリソースブロックの各々は、所定の数の割り振られていないリソース要素を有するリソースブロックを備える。
【００３６】
[0036]  上述された方法、装置、および非一時的コンピュータ可読媒体のいくつかの例はさらに、帯域の第１のチャネルと第２のチャネルとの間の同期ラスタオフセットを、メッセージに少なくとも部分的に基づいて識別するためのプロセス、特徴、手段、または命令を含み得、第１のチャネルおよび第２のチャネルは、共通リソースブロックグリッドを共有する。上述された方法、装置、および非一時的コンピュータ可読媒体のいくつかの例はさらに、同期ラスタオフセット間にあり得る共通リソースブロックグリッドの各リソースブロックエントリ上で同期信号についてモニタ（monitor）するためのプロセス、特徴、手段、または命令を含み得る。
【００３７】
[0037]  上述された方法、装置、および非一時的コンピュータ可読媒体のいくつかの例では、同期ラスタオフセットは、９００ＫＨｚラスタオフセットを備える。
【００３８】
[0038]  上述された方法、装置、および非一時的コンピュータ可読媒体のいくつかの例はさらに、帯域の第１のチャネルと第２のチャネルとの間の同期ラスタオフセットを、メッセージに少なくとも部分的に基づいて識別するためのプロセス、特徴、手段、または命令を含み得、第１のチャネルおよび第２のチャネルは、共通リソースブロックグリッドを共有する。上述された方法、装置、および非一時的コンピュータ可読媒体のいくつかの例はさらに、共通リソースブロックグリッド上にあり得る２つのエントリ間にあり得る各チャネルラスタエントリ上で同期信号についてモニタするためのプロセス、特徴、手段、または命令を含み得る。
【図面の簡単な説明】
【００３９】
【図１】[0039]  本開示の態様にしたがった、チャネルおよび同期ラスタシグナリングをサポートするワイヤレス通信のためのシステムの例を例示する。
【図２】[0040]  本開示の態様にしたがった、チャネルおよび同期ラスタシグナリングをサポートするプロセスの例を例示する。
【図３】[0041]  本開示の態様にしたがった、チャネルおよび同期ラスタシグナリングをサポートするチャネルラスタオフセット構成の例を例示する。
【図４】[0042]  本開示の態様にしたがった、チャネルおよび同期ラスタシグナリングをサポートする同期ラスタ構成の例を例示する。
【図５】[0043]  本開示の態様にしたがった、チャネルおよび同期ラスタシグナリングをサポートするデバイスのブロック図を示す。
【図６】本開示の態様にしたがった、チャネルおよび同期ラスタシグナリングをサポートするデバイスのブロック図を示す。
【図７】本開示の態様にしたがった、チャネルおよび同期ラスタシグナリングをサポートするデバイスのブロック図を示す。
【図８】[0044]  本開示の態様にしたがった、チャネルおよび同期ラスタシグナリングをサポートする基地局を含むシステムのブロック図を例示する。
【図９】[0045]  本開示の態様にしたがった、チャネルおよび同期ラスタシグナリングをサポートするデバイスのブロック図を示す。
【図１０】本開示の態様にしたがった、チャネルおよび同期ラスタシグナリングをサポートするデバイスのブロック図を示す。
【図１１】本開示の態様にしたがった、チャネルおよび同期ラスタシグナリングをサポートするデバイスのブロック図を示す。
【図１２】[0046]  本開示の態様にしたがった、チャネルおよび同期ラスタシグナリングをサポートするユーザ機器（ＵＥ）を含むシステムのブロック図を例示する。
【図１３】[0047]  本開示の態様にしたがった、チャネルおよび同期ラスタシグナリングのための方法を例示する。
【図１４】本開示の態様にしたがった、チャネルおよび同期ラスタシグナリングのための方法を例示する。
【図１５】本開示の態様にしたがった、チャネルおよび同期ラスタシグナリングのための方法を例示する。
【図１６】本開示の態様にしたがった、チャネルおよび同期ラスタシグナリングのための方法を例示する。
【詳細な説明】
【００４０】
[0048]  本開示の態様は、ワイヤレス通信システムのコンテキストにおいて最初に説明される。ある特定のワイヤレス通信システムは、デバイス間でチャネルラスタおよび同期情報をシグナリングすることをサポートするように構成され得る。例えば、チャネル（例えば、コンポーネントキャリア（ＣＣ）は、チャネルの中心に据えられていないチャネルラスタを有し得る。チャネルラスタが、チャネルの中心に据えられていないことから、チャネルラスタは、リソースブロックに対して非対称であるか、またはその逆である、例えば、チャネルラスタの片側上に、もう一方の側上より多くのリソースブロックが存在する。それ故に、ネットワークデバイス（例えば、基地局）は、チャネルに対する非中心チャネルラスタ（non-centered channel raster）を識別することと、チャネルラスタのインジケーションおよびまた第１のリソースブロックについてのロケーション情報を搬送するか、またはそうでない場合は提供するようにメッセージを構成することとを行い得る。ロケーション情報は、例えば、周波数における正確なロケーション、リソースブロックの総数に対する相対的ロケーション、および同様のものを、第１のリソースブロックを見出すために受信デバイスに提供し得る。受信デバイスは、インジケーションを有するメッセージを受信し、インジケーションを使用し、チャネルに対するチャネルラスタおよび第１のリソースブロックのロケーションを識別し得る。チャネルは、アップリンクチャネルおよび／またはダウンリンクチャネルであり得る。いくつかの態様では、ネットワークデバイスは、ユーザ機器の（ＵＥの）能力に基づいて、チャネルに対するチャネルラスタを構成し得る。ネットワークデバイスは、ブロードキャストメッセージおよび／またはユニキャストメッセージ中でインジケーションを送信し得る。それ故に、ネットワークデバイスは、オフセットチャネルラスタ（offset channel raster）（１つ以上）の使用と、通信をサポートするための関連するシグナリングメカニズムとをサポートし得る。
【００４１】
[0049]  本開示の態様はさらにチャネルおよび同期ラスタシグナリングに関連する装置図、システム図、およびフローチャートによって例示され、且つそれらを参照して説明される。
【００４２】
[0050]  図１は、本開示の様々な態様にしたがった、ワイヤレス通信システム１００の例を例示している。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−Ａｄｖａｎｃｅｄ（ＬＴＥ−Ａ）ネットワーク、または新無線（ＮＲ）ネットワークであり得る。いくつかのケースでは、ワイヤレス通信システム１００は、拡張ブロードバンド通信と、超高信頼性（すなわち、ミッションクリティカル）通信と、低レイテンシ通信と、低コストおよび低複雑性デバイスとの通信とをサポートし得る。
【００４３】
[0051]  基地局１０５は、１つまたは複数の基地局アンテナを介して、ＵＥ１１５とワイヤレスに通信し得る。各基地局１０５は、それぞれの地理的カバレッジエリア１１０に対して通信カバレッジを提供し得る。ワイヤレス通信システム１００中に示されている通信リンク１２５は、ＵＥ１１５から基地局１０５へのアップリンク送信、または基地局１０５からＵＥ１１５へのダウンリンク送信を含み得る。制御情報およびデータは、様々な技法にしたがって、アップリンクチャネルまたはダウンリンクチャネル上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ：transmission time interval）中に送信される制御情報は、カスケード方式で異なる制御領域間で（例えば、共通制御領域と、１つまたは複数のＵＥ固有制御領域との間で）分散され得る。
【００４４】
[0052]  ＵＥ１１５は、ワイヤレス通信システム１００全体を通じて分散され得、および各ＵＥ１１５は、固定式または移動式であり得る。ＵＥ１１５はまた、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれ得る。ＵＥ１１５はまた、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ：Internet of Things）デバイス、あらゆるモノのインターネット（ＩｏＥ：Internet of Everything）デバイス、マシンタイプ通信（ＭＴＣ：machine type communication）デバイス、器具、自動車、または同様のものであり得る。
【００４５】
[0053]  いくつかのケースでは、ＵＥ１１５はまた、（例えば、ピアツーピア（Ｐ２Ｐ：peer-to-peer）またはデバイスツーデバイス（Ｄ２Ｄ：device-to-device）プロトコルを使用して）他のＵＥと直接通信することが可能であり得る。Ｄ２Ｄ通信を利用するＵＥ１１５のグループのうちの１つまたは複数は、セルのカバレッジエリア１１０内にあり得る。そのようなグループ中の他のＵＥ１１５は、セルのカバレッジエリア１１０の外部にあり得るか、またはそうでない場合は、基地局１０５からの送信を受信することができないことがあり得る。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５とは独立して行われる。
【００４６】
[0054]  ＭＴＣまたはＩｏＴデバイスのようないくつかのＵＥ１１５は、低コストまたは低複雑性デバイスであり得、およびマシン間の自動化された通信、すなわち、マシンツーマシン（Ｍ２Ｍ：Machine-to-Machine）通信を提供し得る。Ｍ２ＭまたはＭＴＣは、デバイスが、人間の介在なしに互いまたは基地局と通信することを可能にするデータ通信技術を指し得る。例えば、Ｍ２ＭまたはＭＴＣは、情報を測定またはキャプチャするためのセンサまたはメータを統合し、およびプログラムまたはアプリケーションと対話している人間にその情報を提示するか、あるいはその情報を利用することができるアプリケーションプログラムまたは中央サーバにその情報を中継するデバイスからの通信を指し得る。いくつかのＵＥ１１５は、情報を収集するか、または機械の自動化された挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的イベントモニタリング、保有車両（fleet）管理および追跡、リモートセキュリティ感知、物理アクセス制御、および取引ベースのビジネス課金（transaction-based business charging）を含む。
【００４７】
[0055]  いくつかのケースでは、ＭＴＣデバイスは、低減されたピークレートでの半二重（一方向）通信を使用して動作し得る。ＭＴＣデバイスはまた、アクティブな通信に従事していないときに節電「ディープスリープ（deep sleep）」モードに入るように構成され得る。いくつかのケースでは、ＭＴＣまたはＩｏＴデバイスは、ミッションクリティカル機能（mission critical function）をサポートするように設計され得、およびワイヤレス通信システムは、これらの機能に対して超高信頼性通信（ultra-reliable communication）を提供するように構成され得る。
【００４８】
[0056]  基地局１０５は、コアネットワーク１３０と、および互いと通信し得る。例えば、基地局１０５は、バックホールリンク（backhaul link）１３２（例えば、Ｓ１、等）を通じてコアネットワーク１３０とインターフェースし得る。基地局１０５は、直接的にまたは間接的に（例えば、コアネットワーク１３０を通じて）のいずれかで、バックホールリンク１３４（例えば、Ｘ２、等）を通して互いと通信し得る。基地局１０５は、ＵＥ１１５との通信のために無線構成およびスケジューリングを遂行し得るか、または基地局コントローラ（図示せず）の制御下で動作し得る。いくつかの例では、基地局１０５は、マクロセル、スモールセル、ホットスポット、または同様のものであり得る。基地局１０５はまた、発展型ノードＢ（ｅＮＢ）１０５と呼ばれ得る。
【００４９】
[0057]  基地局１０５は、コアネットワーク１３０にＳ１インターフェースによって接続され得る。コアネットワークは、発展型パケットコア（ＥＰＣ：evolved packet core）であり得、それは、少なくとも１つのモビリティ管理エンティティ（ＭＭＥ：mobility management entity）、少なくとも１つのサービングゲートウェイ（Ｓ−ＧＷ：serving gateway）、および少なくとも１つのパケットデータネットワーク（ＰＤＮ）ゲートウェイ（Ｐ−ＧＷ）を含み得る。ＭＭＥは、ＵＥ１１５とＥＰＣとの間でのシグナリングを処理する制御ノードであり得る。全てのユーザインターネットプロトコル（ＩＰ）パケットは、Ｓ−ＧＷを通じて転送され得、それ自体は、Ｐ−ＧＷに接続され得る。Ｐ−ＧＷは、ＩＰアドレス割り振りならびに他の機能を提供し得る。Ｐ−ＧＷは、ネットワークオペレータＩＰサービスに接続され得る。オペレータＩＰサービスは、インターネット、イントラネット、ＩＰマルチメディアサブシステム（ＩＭＳ）、およびパケット交換（ＰＳ）ストリーミングサービスを含み得る。
【００５０】
[0058]  コアネットワーク１３０は、ユーザ認証、アクセス認可、追跡、ＩＰ接続性、および他のアクセス、ルーティング、またはモビリティ機能を提供し得る。基地局１０５のようなネットワークデバイスのうちの少なくともいくつかは、アクセスネットワークエンティティ（access network entity）のようなサブコンポーネントを含み得、それは、アクセスノードコントローラ（ＡＮＣ：access node controller）の例であり得る。各アクセスネットワークエンティティは、いくつかの他のアクセスネットワークエンティティを通じていくつかのＵＥ１１５と通信し得、それらの各々は、スマート無線ヘッド（smart radio head）、または送信／受信ポイント（ＴＲＰ：transmission/reception point）の例であり得る。いくつかの構成では、各アクセスネットワークエンティティまたは基地局１０５の様々な機能は、様々なネットワークデバイス（例えば、無線ヘッドおよびアクセスネットワークコントローラ）にわたって分散され得るか、または単一のネットワークデバイス（例えば、基地局１０５）へと統合され得る。
【００５１】
[0059]  ワイヤレス通信システム１００は、７００ＭＨｚから２６００ＭＨｚ（２．６ＧＨｚ）までの周波数帯域を使用して、極超短波（ＵＨＦ）周波数領域中で動作し得るが、ネットワークの中には（例えば、ワイヤレスローカルエリアネットワーク（ＷＬＡＮ））、４ＧＨｚもの高さの周波数を使用するものがあり得る。この領域はまた、波長の長さが約１デシメートルから１メートルまでの範囲に及ぶことから、デシメートル帯域（decimeter band）としても知られ得る。ＵＨＦ波は、主に見通し線によって伝搬し得、建物および環境特徴によって遮られ得る。しかしながら、その波は、屋内にロケートされたＵＥ１１５にサービスを提供するのに十分に壁を透過し得る。ＵＨＦ波の送信は、スペクトルの短波（ＨＦ）または超短波（ＶＨＦ）部分のより小さい周波数（およびより長い波）を使用する送信と比較して、より小さいアンテナおよびより短い範囲（例えば、１００ｋｍ未満）によって特徴付けられる。いくつかのケースでは、ワイヤレス通信システム１００はまた、スペクトルのミリ波（ＥＨＦ：extremely high frequency）部分（例えば、３０ＧＨｚから３００ＧＨｚまで）を利用し得る。この領域はまた、波長の長さが約１ミリメートルから１センチメートルまでの範囲に及ぶので、ミリ波帯域（millimeter band）としても知られ得る。このことから、ＥＨＦアンテナは、ＵＨＦアンテナより一層小さくなり得、且つより密接に離間され得る。いくつかのケースでは、これは、（例えば、指向性ビームフォーミング（directional beamforming）のための）ＵＥ１１５内のアンテナアレイの使用を容易にし得る。しかしながら、ＥＨＦ送信は、ＵＨＦ送信より一層大きい大気減衰の影響を受け得、およびより短い範囲であり得る。
【００５２】
[0060]  このことから、ワイヤレス通信システム１００は、ＵＥ１１５と基地局１０５との間でのミリメートル波（ｍｍＷ：millimeter wave）通信をサポートし得る。ｍｍＷまたはＥＨＦ帯域中で動作するデバイスは、ビームフォーミングを可能にするために、複数のアンテナを有し得る。すなわち、基地局１０５は、ＵＥ１１５との指向性通信のためのビームフォーミング動作を行うために、複数のアンテナまたはアンテナアレイを使用し得る。ビームフォーミング（それはまた、空間フィルタリングまたは指向性送信と呼ばれ得る）は、ターゲット受信機（例えば、ＵＥ１１５）の方向にアンテナビーム全体をシェイピングするおよび／またはステアリングするために送信機（例えば、基地局１０５）において使用され得る信号処理技法である。これは、特定の角度の送信された信号が強め合う干渉（destructive interference）を経験し、その一方で他のものが弱め合う干渉（destructive interference）を経験するように、アンテナアレイ中の要素を組み合わせることによって達成され得る。
【００５３】
[0061]  多入力多出力（ＭＩＭＯ）ワイヤレスシステムは、送信機（例えば、基地局１０５）と受信機（例えば、ＵＥ１１５）との間で送信スキームを使用し、ここで、送信機と受信機との両方は、複数のアンテナを装備されている。ワイヤレス通信システム１００のいくつかの部分は、ビームフォーミングを使用し得る。例えば、基地局１０５は、基地局１０５がＵＥ１１５とのその通信においてビームフォーミングのために使用し得るアンテナポートのいくつかの行および列を有するアンテナアレイを有し得る。信号は、異なる方向に複数回送信され得る（例えば、各送信は、異なるようにビームフォーミングされ得る）。ｍｍＷ受信機（例えば、ＵＥ１１５）は、同期信号を受信している間に、複数のビーム（例えば、アンテナサブアレイ）を試し得る。
【００５４】
[0062]  いくつかのケースでは、基地局１０５またはＵＥ１１５のアンテナは、１つまたは複数のアンテナアレイ内にロケートされ得、それは、ビームフォーミングまたはＭＩＭＯ動作をサポートし得る。１つまたは複数の基地局アンテナまたはアンテナアレイは、アンテナタワーのようなアンテナアセンブリにおいてコロケート（collocate）され得る。いくつかのケースでは、基地局１０５に関連付けられたアンテナまたはアンテナアレイは、多様な地理的ロケーション中にロケートされ得る。基地局１０５は、ＵＥ１１５との指向性通信のためのビームフォーミング動作を行うために、複数のアンテナまたはアンテナアレイを使用し得る。
【００５５】
[0063]  いくつかのケースでは、ワイヤレス通信システム１００は、レイヤードプロトコルスタックにしたがって動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、いくつかのケースでは、論理チャネルを通して通信するために、パケットのセグメント化およびリアセンブリを遂行し得る。媒体アクセス制御（ＭＡＣ：Medium Access Control）レイヤは、優先度処理（priority handling）および論理チャネルのトランスポートチャネルへの多重化を遂行し得る。ＭＡＣレイヤはまた、リンク効率を改善するために、ＭＡＣレイヤにおいて再送信を提供するハイブリッドＡＲＱ（ＨＡＲＱ）を使用し得る。制御プレーンでは、無線リソース制御（ＲＲＣ：Radio Resource Control）プロトコルレイヤは、ユーザプレーンデータのための無線ベアラをサポートするコアネットワーク１３０、またはＵＥ１１５とネットワークデバイスとの間のＲＲＣ接続の確立、構成、および維持を提供し得る。物理（ＰＨＹ）レイヤにおいて、トランスポートチャネルは、物理チャネルにマッピングされ得る。
【００５６】
[0064]  ＬＴＥまたはＮＲにおける時間間隔は、基本時間単位（それは、Ｔｓ＝１／３０，７２０，０００秒のサンプリング期間であり得る）の倍数で表現され得る。時間リソースは、１０ｍｓ（Ｔｆ＝３０７２００Ｔｓ）の長さの無線フレームにしたがって編成され得、それは、０から１０２３までの範囲にわたるシステムフレーム番号（ＳＦＮ：system frame number）によって識別され得る。各フレームは、０から９までの番号付けられた１０個の１ｍｓサブフレームを含み得る。サブフレームは、２つの０．５ｍｓスロットへとさらに分割され得、それらの各々は、（各シンボルの先頭に追加されたサイクリックプレフィックスの長さに依存して）６つまたは７つの変調シンボル期間を包含する。サイクリックプレフィックスを除いて、各シンボルは、２０４８個のサンプル期間を包含する。いくつかのケースでは、サブフレームは、ＴＴＩとしても知られる最小のスケジューリング単位であり得る。他のケースでは、ＴＴＩは、サブフレームより短くなり得るか、あるいは（例えば、ショートＴＴＩバーストにおいて、またはショートＴＴＩを使用する選択されたコンポーネントキャリアにおいて）動的に選択され得る。
【００５７】
[0065]  リソース要素は、１つのシンボル期間および１つのサブキャリア（例えば、１５ＫＨｚ周波数範囲）から成り得る。リソースブロックは、周波数ドメイン中に１２個の連続したサブキャリアを包含し、および、各ＯＦＤＭシンボル中の通常のサイクリックプレフィックスの場合、時間ドメイン（１つのスロット）中に７つの連続したＯＦＤＭシンボルを包含し、すなわち、８４個のリソース要素を包含し得る。各リソース要素によって搬送されるビット数は、変調スキーム（各シンボル期間中に選択され得るシンボルの構成）に依存し得る。このことから、ＵＥが受信するリソースブロックが多いほど、および変調スキームがより高度であるほど、データレートは、より高くなり得る。
【００５８】
[0066]  ワイヤレス通信システム１００は、複数のセルまたはキャリア上での動作をサポートし得、その特徴は、ＣＡまたはマルチキャリア動作と呼ばれ得る。キャリアはまた、ＣＣ、レイヤ、チャネル、等と呼ばれ得る。「キャリア」、「コンポーネントキャリア」、「セル」、および「チャネル」という用語は、ここでは交換可能に使用され得る。ＵＥ１１５は、キャリアアグリゲーションのための複数のダウンリンクＣＣおよび１つまたは複数のアップリンクＣＣで構成され得る。キャリアアグリゲーションは、ＦＤＤコンポーネントキャリアとＴＤＤコンポーネントキャリアとの両方で使用され得る。
【００５９】
[0067]  いくつかのケースでは、ワイヤレス通信システム１００は、拡張コンポーネントキャリア（ｅＣＣ）を利用し得る。ｅＣＣは、より広い帯域幅、より短いシンボル持続時間、より短いＴＴＩ、および修正された制御チャネル構成を含む１つまたは複数の特徴によって特徴付けられ得る。いくつかのケースでは、ｅＣＣは、（例えば、複数のサービングセルが準最適のまたは理想的でないバックホールリンクを有するとき）デュアルコネクティビティ構成またはキャリアアグリゲーション構成に関連付けられ得る。ｅＣＣはまた、（１つより多くのオペレータがスペクトルを使用することを許可されている）共有スペクトル（shared spectrum）またはアンライセンススペクトル（unlicensed spectrum）における使用のために構成され得る。広い帯域幅によって特徴付けられるｅＣＣは、（例えば、電力を節約するために）限定された帯域幅を使用することを好むか、または帯域幅全体をモニタすることが可能でないＵＥ１１５によって利用され得る１つまたは複数のセグメントを含み得る。
【００６０】
[0068]  いくつかのケースでは、ｅＣＣは、他のＣＣとは異なるシンボル持続時間を利用し得、それは、他のＣＣのシンボル持続時間と比較して、低減されたシンボル持続時間の使用を含み得る。より短いシンボル持続時間は、増大されたサブキャリア間隔に関連付けられる。ｅＣＣを利用する、ＵＥ１１５または基地局１０５のようなデバイスは、低減されたシンボル持続時間（例えば、１６．６７マイクロ秒）でワイドバンド信号（例えば、２０、４０、６０、８０ＭＨｚ、等）を送信し得る。ｅＣＣにおけるＴＴＩは、１つまたは複数のシンボルから成り得る。いくつかのケースでは、ＴＴＩ持続時間（すなわち、ＴＴＩにおけるシンボルの数）は、可変であり得る。
【００６１】
[0069]  共有無線周波数スペクトル帯域は、ＮＲ共有スペクトルシステム中で利用され得る。例えば、ＮＲ共有スペクトルは、中でもとりわけ、ライセンス、共有、およびアンライセンススペクトルの任意の組み合わせを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）および水平（例えば、時間にわたる）共有を特に通じて、スペクトル利用およびスペクトル効率を増大させ得る。
【００６２】
[0070]  いくつかのケースでは、ワイヤレス通信システム１００は、ライセンス無線周波数スペクトル帯域とアンライセンス無線周波数スペクトル帯域との両方を利用し得る。例えば、ワイヤレス通信システム１００は、５Ｇｈｚ産業科学医療用（ＩＳＭ：Industrial, Scientific, and Medical）帯域のようなアンライセンス帯域中で、ＬＴＥライセンス支援アクセス（ＬＴＥ−ＬＡＡ）またはＬＴＥアンライセンス（ＬＴＥ Ｕ）無線アクセス技術またはＮＲ技術を用い得る。アンライセンス無線周波数スペクトル帯域中で動作するとき、基地局１０５およびＵＥ１１５のようなワイヤレスデバイスは、データを送信する前にチャネルがクリアであることを確実にするために、リッスンビフォアトーク（ＬＢＴ：listen-before-talk）プロシージャを用い得る。いくつかのケースでは、アンライセンス帯域中での動作は、ライセンス帯域中で動作しているＣＣとともに、ＣＡ構成に基づき得る。アンライセンススペクトル中での動作は、ダウンリンク送信、アップリンク送信、または両方を含み得る。アンライセンススペクトル中での複信（Duplexing）は、周波数分割複信（ＦＤＤ）、時分割複信（ＴＤＤ）、または両方の組み合わせに基づき得る。
【００６３】
[0071]  いくつかのケースでは、ワイヤレス通信システム１００は、ガードバンドを伴わない帯域内連続ＣＡをサポートし得る。２つのＣＣ間の距離は、リソースブロックサイズおよびチャネルラスタ粒度の倍数であり得る。ガードバンドを伴わないＣＡでは、全てのスペクトルが、リソースブロックで満たされることができる。ガードバンドを伴うＣＡでは、スペクトルの全てがＲＢで満たされることができるわけではないので、使用されていない何らかのスペクトル、例えば、ギャップ（gap）、が存在することになる。
【００６４】
[0072]  いくつかの態様では、ＣＣは、同じサブキャリアグリッド上または同じリソースブロックグリッド上にあるＣＣを指し得る。同じサブキャリアグリッドは、ＣＣのチャネルラスタ間の距離がチャネルラスタ間隔およびサブキャリア間隔の公倍数であるように、全てのＣＣからのサブキャリアが同じ高速フーリエ変換（ＦＦＴ）によって処理されることができることを示し得る。例えば、１００ｋＨｚのチャネルラスタと１５ｋＨｚのサブキャリア間隔（ＳＣＳ：subcarrier spacing）とは、３００ｋＨｚの倍数であるＣＣ間の間隔をもたらし得る。これは、ＣＣ間の空間がＳＣＳの倍数となるが、リソースブロックであり得る１２×ＳＣＳの倍数とはならないことをもたらし得る。システムがフラクショナルＲＢを割り振ることができないとき、割り振られる（スケジューリングされる）ことができないいくつかのサブキャリアが存在し得る。同じリソースブロックグリッドは、全てのＣＣからのサブキャリアが同じＦＦＴによって処理されることができ、加えて、ＣＣ間の空間の全てがリソースブロックで満たされることができることを示し得る。これは、ＣＣのチャネルラスタ間の距離がリソースブロックサイズおよびチャネルラスタ粒度の公倍数となることをもたらし得る。例えば、１００ｋＨｚチャネルラスタと１８０ｋＨｚのリソースブロックサイズ（例えば、各リソースブロック中に１２個のサブキャリアを有する１５ｋＨｚ ＳＣＳ）では、チャネルラスタ間の距離は、９００ｋＨｚの倍数である。いかなるガードバンドも伴わない帯域内連続（intra-band contiguous）ＣＡをサポートするために、ＣＣは、同じリソースブロックグリッド上にあり得る。
【００６５】
[0073]  いくつかの態様では、ワイヤレス通信システム１００は、いくつかのＵＥ１１５によって単一のチャネルとして、および他のＵＥ１１５によって帯域内連続ＣＡとして扱われる１つのワイドバンドチャネルをサポートし得る。１つの２００ＭＨｚチャネルの一例として、２００ＭＨｚチャネルは、各々１００ＭＨｚの２つのチャネル、例えば、ＣＣ１およびＣＣ２、から成り得る。いくつかの態様では、ＵＥ１１５は、ＣＣ１またはＣＣ２のいずれかにアクセスし得る（例えば、１００ＭＨｚの全帯域幅が可能であるＵＥ）。いくつかの態様では、ＵＥ１１５は、１つの単一チャネルとして２００ＭＨｚチャネル全体にアクセスし得る（例えば、２００ＭＨｚの全帯域幅が可能であるＵＥ）。いくつかの態様では、ＵＥ１１５は、２×１００ＭＨｚ ＣＡとして２００ＭＨｚチャネルにアクセスし得る（例えば、２００ＭＨｚの全帯域幅が可能であり、およびＣＡを行うＵＥ）。
【００６６】
[0074]  いくつかの態様では、ワイヤレス通信システム１００は、全てのそのようなＵＥ１１５をサポートし得、および全ての３つのチャネル（例えば、２００ＭＨｚチャネルおよび／またはＣＣ１／ＣＣ２）が同じリソースブロックグリッド上にあるスペクトル利用を最大化し得る。例えば、１００ｋｈｚチャネルラスタ粒度および１５ｋＨｚ ＳＣＳを使用すると、ＣＣ２チャネルラスタは、１４９．９および２００ＭＨｚとなるのに対して、ＣＣ１チャネルラスタは、９９．５または１００．４ＭＨｚ上にあるであろう。これは、チャネルラスタがＣＣ１およびＣＣ２チャネルの中心に位置付けられないことを意味する。すなわち、上記の例では、２００ＭＨｚのラスタを中心に配置するために、ＣＣ１およびＣＣ２のチャネルラスタが、シフトされ得る（左または右）。２００ＭＨｚチャネルのチャネルラスタが中心にある場合であっても、ＣＣ１およびＣＣ２のラスタは、もはやそれら自体のチャネルの中心にないことがあり得る。すなわち、チャネルラスタは、もはやＣＣの中心にないことがあり得ることから、チャネルラスタの左または右のリソースブロックの数は、異なることになる。
【００６７】
[0075]  いくつかの態様では、ワイヤレス通信システム１００は、割り振られたリソースブロックがどこにあるかをＵＥ１１５が知るように、チャネルラスタに対するリソースブロックのロケーションのＵＥ１１５へのシグナリングをサポートし得る。同じチャネルラスタエントリの場合、ワイヤレス通信システム１００は、リソースブロック割り振りの異なるオフセット（例えば、変動する）を有し得る。例えば、基地局１０５は、チャネルの複数のリソースブロックに関連付けられたチャネルラスタを識別し得、複数のリソースブロックは、チャネルラスタに対して非対称関係を有する。基地局１０５は、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成し得る。基地局１０５は、リソースブロックオフセットメトリックのインジケーションを伝達するために、メッセージを送信し得る。ＵＥ１１５は、リソースブロックオフセットメトリックのインジケーションを備えるメッセージを受信することと、チャネルの複数のリソースブロックに関連付けられたチャネルラスタを、リソースブロックオフセットメトリックに少なくとも部分的に基づいて識別することとを行い得、複数のリソースブロックは、チャネルラスタに対して非対称関係を有する。
【００６８】
[0076]  図２は、本開示の態様にしたがった、チャネルおよび同期ラスタシグナリングをサポートするプロセス２００の例を例示している。いくつかの例では、プロセス２００は、ワイヤレス通信システム１００の態様をインプリメントし得る。プロセス２００は、基地局２０５およびＵＥ２１０を含み得、それらは、ここに説明された対応するデバイスの例であり得る。概して、プロセス２００は、チャネルラスタがチャネルの中心に据えられていないときに、基地局２０５が第１のリソースブロックについてのロケーション情報およびチャネルラスタのインジケーションをＵＥ２１０にシグナリングする一例を例示している。
【００６９】
[0077]  ２１５において、基地局２０５は、チャネルラスタを識別し得る。チャネルラスタは、チャネルの複数のリソースブロックに関連付けられ得る。リソースブロックは、チャネルラスタに対して非対称であり得る、例えば、チャネルラスタの片側上に、もう一方の側上にあるより多くのリソースブロックが存在し得る。非対称関係は、チャネルラスタがチャネルの中央からオフセットされることを示し得る。チャネルは、アップリンクチャネルおよび／またはダウンリンクチャネルであり得る。チャネルは、いくつかの例では、ＣＣチャネルであり得る。
【００７０】
[0078]  ２２０において、基地局２０５は、ロケーション情報およびチャネルラスタのインジケーションを提供するようにメッセージを構成し得る。例えば、基地局２０５は、ロケーション情報およびチャネルラスタのインジケーションを含むリソースブロックオフセットメトリックのインジケーションを搬送またはそうでない場合は伝達するようにメッセージを構成し得る。ロケーション情報は、第１のリソースブロックに関連付けられ得、および第１のリソースブロックをロケートすることが可能であるＵＥ２１０をサポートする情報を提供し得る。
【００７１】
[0079]  いくつかの態様では、ロケーション情報は、例えば、絶対周波数（absolute frequency）、リソースブロックの数、サブキャリアの数、等の観点から、チャネルラスタに対する第１のリソースブロックについてのオフセットを含み得る。例えば、基地局２０５は、第１のリソースブロックとチャネルラスタとの間のオフセット距離（例えば、周波数オフセット、リソースブロックカウントオフセット、等）を、非対称関係に基づいて識別し得る。ロケーション情報は、オフセット距離を含み得る。基地局２０５は、第１のリソースブロックに関連付けられた周波数、例えば、第１のリソースブロックのキャリアまたは絶対周波数を、非対称関係に基づいて識別し得る。ロケーション情報は、第１のリソースブロックに関連付けられた周波数を含み得る。基地局２０５は、リソースブロックに関連付けられたリソースブロックカウント、例えば、連続するリソースブロックの数を識別し得る。ロケーションは、リソースブロックカウントを含み得る。いくつかの態様では、ロケーション情報は、リソースブロックカウントおよび第１のリソースブロックの周波数を含み得る。
【００７２】
[0080]  いくつかの態様では、基地局２０５は、ＵＥ２１０の能力に基づいて、チャネルに対するチャネルラスタを選択し得る。例えば、基地局２０５は、ＵＥ能力（例えば、サポートされる帯域幅、ＣＡサポート、等）を識別し、およびサポートされる能力（例えば、ＵＥ固有）に基づいて、ＵＥ２１０に対するチャネルラスタを識別またはそうでない場合は選択し得る。その上、基地局２０５は、ＵＥ２１０の能力、例えば、ブロードキャスト対ユニキャストシグナリング、シグナリングチャネル、等に基づいて、メッセージに対してシグナリングスキームを使用し得る。
【００７３】
[0081]  いくつかの態様では、複数のリソースブロックが、ギャップ（例えば、未使用のリソースブロック、リソース要素、等）を有し得る。例えば、チャネルラスタがどのように定義されるかに依存して、２つのＣＣ間のスペクトル全体を満たすことは可能ではないことがあり得る。例えば、２つの５ＭＨｚチャネルのアグリゲーションである１０ＭＨｚ ＣＣは、使用されることができないいくつかのサブキャリア（リソース要素）を中心に有し得る。２００ＭＨｚ ＣＣの例では、使用されることができないいくつかのリソース要素が中心の周囲に存在し得る。これらのリソースブロックが正確にはどこにロケートされているのかが、ＵＥ２１０にシグナリングされ得る。ＵＥ２１０に割り振られるリソース要素中に周波数におけるギャップが存在する場合、基地局２０５は、ＵＥ２１０にこの情報をシグナリングし得る。シグナリングは、使用されていないリソース要素の数、使用されている連続するリソースブロックのロケーション、および同様のものを含み得る。複数のチャネルがアグリゲートされるとき（例えば、４００ＭＨｚチャネルは、２つの２００ＭＨｚチャネルまたは４つの１００ＭＨｚチャネルのアグリゲーションであり、複数の「穴（hole）」またはギャップがある可能性がある）、全てのこれらの穴のロケーションは、アグリゲートされ得る。いくつかの態様では、基地局２０５は、どのリソース要素がより広いチャネル中で使用されないかをブロードキャストし得る。いくつかの態様では、基地局２０５は、使用されていないリソース要素でＵＥを構成し得る。いくつかの態様では、基地局は、リソースブロックの各連続するブロックの開始および長さをブロードキャストし得る。いくつかの態様では、基地局２０５は、連続するリソースブロックのうちの異なるブロックで個々にＵＥを構成し得る。
【００７４】
[0082]  それ故に、基地局２０５は、どのリソースブロックが未使用であるかを識別し、および未使用のリソースブロックに関連付けられたロケーションパラメータ（１つ以上）を示すようにメッセージを構成し得る。ロケーションパラメータ（１つ以上）は、連続するリソースブロックについてのリソースブロックカウントおよび第１のリソースブロック、未使用のリソースブロックの識別子、および同様のものを含み得るが、それらに限定されない。
【００７５】
[0083]  ２２５において、基地局２０５は、リソースブロックオフセットメトリックのインジケーションを搬送またはそうでない場合は伝達するメッセージを送信し得る（およびＵＥ２１０は受信し得る）。メッセージは、全てのＵＥにブロードキャストされ得る、および／または特定のＵＥ、例えば、ＵＥ２１０にユニキャストされ得る。
【００７６】
[0084]  いくつかの態様では、基地局２０５は、チャネルラスタエントリとリソースブロックロケーションとの間の関係をブロードキャストし得る。これは、（例えば、絶対周波数またはリソースブロックの数またはサブキャリアの数における）チャネルラスタに対するエッジリソースブロック（第１のリソースブロック）についてのオフセットであり得る。いくつかの態様では、基地局２０５は、ＵＥ２１０がチャネル中に使用されているリソースブロックをロケートし得るように、絶対周波数、例えば、Ｈｚのエッジリソースブロック（edge resource block）の絶対周波数をブロードキャストし得る。
【００７７】
[0085]  いくつかの態様では、基地局２０５は、特定のリソースブロックロケーション（specific resource block location）でＵＥ２１０を構成し得る。これは、（例えば、絶対周波数またはリソースブロックの数またはサブキャリアの数における）チャネルラスタに対するエッジリソースブロックについてのオフセットであり得る。これは、チャネルラスタからの（Ｈｚの）絶対周波数オフセットまたは絶対周波数であり得る。特定のリソースブロックロケーションは、ネットワークにシグナリングされるＵＥ２１０の能力、例えば、ＵＥ２１０の無線周波数（ＲＦ）能力に基づき得る。
【００７８】
[0086]  いくつかの態様では、基地局２０５は、アップリンクチャネルに対するチャネルラスタがどこにロケートされているか、およびリソースブロックがアップリンクチャネル中でどこに使用されているかをシグナリングし得る（例えば、ＴＤＤ構成システムの場合であっても、アップリンクおよび／またはダウンリンクラスタあるいはリソースブロックロケーションは、異なり得る）。チャネルラスタ構成は、チャネルに共通であり得る（例えば、チャネル固有）。基地局２０５は、チャネルラスタに対するエッジリソースブロックのオフセットおよび絶対周波数として、アップリンクチャネルラスタをブロードキャストし得る。いくつかの態様では、チャネルラスタは、無線周波数（ＲＦ）チャネル位置を識別するために使用されるＲＦ基準周波数のセットを定義し得る。ＲＦチャネルのためのＲＦ基準周波数は、キャリア上のリソース要素にマッピングし得る。いくつかの態様では、マッピングは、チャネル中に割り振られ、且つアップリンクおよびダウンリンクの両方に適用されるリソースブロックの総数に基づいて決定され得る。いくつかの態様では、アップリンクおよび／またはダウンリンク中のＲＦ基準周波数は、グローバル周波数ラスタ上の定義された範囲中のＮＲ絶対無線周波数チャネル番号（ＮＲ−ＡＲＦＣＮ：NR Absolute Radio Frequency Channel Number）中で指定され得る。
【００７９】
[0087]  基地局２０５は、使用されるべきリソースブロックの数およびエッジリソースブロックの絶対周波数をブロードキャストし得る。これは、任意の周波数であり得るか、または許容された周波数のセットからのものであり得る。チャネルラスタ構成は、ＵＥごとに構成され得る（例えば、ＵＥ固有）。基地局２０５は、ラスタに対するエッジリソースブロックのオフセットおよび絶対周波数として、アップリンクチャネルラスタで各ＵＥを構成し得る。基地局２０５は、使用されるべきリソースブロックの数およびエッジリソースブロックの絶対周波数で各ＵＥを構成し得る。これは、任意の周波数であり得るか、または許容された周波数のセットからのものであり得る。
【００８０】
[0088]  ２３０において、ＵＥ２１０は、リソースブロックオフセットメトリックを使用してチャネルラスタを識別し得る。例えば、ＵＥ２１０は、基地局２０５から受信されたメッセージを復号し、およびチャネルのリソースブロックに関連付けられたチャネルラスタを識別し得る。ＵＥ２１０は、これもまたメッセージ中に示されているロケーション情報を識別し得る。それ故に、ＵＥ２１０は、チャネルに対するおよび／または複数のチャネルに対するチャネルラスタオフセットメトリック（channel raster offset metric）を識別するために、メッセージを使用し得る。チャネル（１つ以上）は、アップリンクおよび／またはダウンリンクチャネルであり得る。
【００８１】
[0089]  図３は、本開示の様々な態様にしたがった、チャネルおよび同期ラスタシグナリングをサポートするチャネルラスタオフセット構成（channel raster offset configuration）３００の例を例示している。いくつかの例では、チャネルラスタオフセット構成３００は、ワイヤレス通信システム１００および／またはプロセス２００の態様をインプリメントし得る。
【００８２】
[0090]  概して、チャネルラスタオフセット構成３００は、３つのリソースブロックグリッド３０５を例示している（１つのみがラベル付けされている）。各リソースブロックグリッド３０５は、複数のリソースブロック３１０を含む。チャネルラスタオフセット構成３００は、２７個のリソースブロック３１０を有するものとして各リソースブロックグリッド３０５を例示しているが、リソースブロックグリッド３０５の各々（または全て）は、より多くのまたはより少ないリソースブロック３１０を有し得ることが理解されるべきである。
【００８３】
[0091]  チャネルラスタオフセット構成３００は、チャネルの中心に据えられていないチャネルラスタの３つの例を例示している。例えば、第１のチャネルラスタオフセット（オフセット１）は、チャネルラスタがリソースブロック１２にロケートされているリソースブロック３１０を含み得る。これは、リソースブロック３１０がチャネルラスタに対して非対称関係を有すること、例えば、チャネルラスタの右に１５個のリソースブロック３１０およびチャネルラスタの左に１２個のリソースブロック３１０、をもたらし得る。同様に、第２のチャネルラスタオフセット（オフセット２）は、リソースブロック１０にあるチャネルラスタを含み得る。これもまた、リソースブロック３１０がチャネルラスタに対して非対称関係を有すること、例えば、チャネルラスタの右に１７個のリソースブロック３１０およびチャネルラスタの左に１０個のリソースブロック３１０、をもたらす。
【００８４】
[0092]  いくつかの態様では、異なるチャネルラスタオフセットは、チャネルに基づく。例えば、オフセット１は、第１のチャネルに関連付けられ得、オフセット２は、第２のチャネルに関連付けられ得、およびオフセット３は、第３のチャネルに関連付けられ得る。いくつかの態様では、異なるチャネルラスタオフセットは、ＵＥに基づく。例えば、オフセット１は、第１のＵＥに関連付けられ得、オフセット２は、第２のＵＥに関連付けられ得、およびオフセット３は、第３のＵＥに関連付けられ得る。いくつかの態様では、異なるチャネルラスタオフセットは、異なるＵＥおよび異なるチャネルに関連付けられ得る。
【００８５】
[0093]  図４は、本開示の様々な態様にしたがった、チャネルおよび同期ラスタシグナリングをサポートする同期ラスタ構成（synchronization raster configuration）４００の例を例示している。いくつかの例では、同期ラスタ構成４００は、ワイヤレス通信システム１００、プロセス２００、および／またはチャネルラスタオフセット構成３００の態様をインプリメントし得る。
【００８６】
[0094]  概して、同期ラスタ構成４００は、第１のチャネル４１０および第２のチャネル４１５を形成する周波数帯域４０５を例示している。第１のチャネル４１０および第２のチャネル４１５の各々は、周波数帯域４０５のうちの全てではないがいくらかを占有する関連する最小帯域幅（minimum bandwidth）を有し得る。基地局は、少なくともいくつかの態様では、第１のチャネル４１０および第２のチャネル４１５の両方の一部分をカバーする同期信号４２０を送信し得る。例えば、基地局は、周波数帯域４０５の第１のチャネル４１０と第２のチャネル４１５との間の同期ラスタオフセットを識別し得る。第１のチャネル４１０および第２のチャネル４１５は、共通のリソースブロックグリッドを共有し得る、例えば、リソースブロックは、いくつかの態様では、第１のチャネルと第２のチャネルとの間に揃えられ得る。いくつかの態様では、基地局は、同期オフセット間にある共通リソースブロックグリッドの各リソースブロックエントリ上で同期信号４２０を送信し得る。いくつかの態様では、基地局は、共通リソースグリッド上にある２つのエントリ間にある各チャネルラスタエントリ上で同期信号を送信し得る。
【００８７】
[0095]  いくつかの態様では、同期信号４２０は、チャネルの中央に存在しないことがあり得るが、チャネルラスタ上に依然としてロケートされ得る。帯域内の異なるチャネルは、同じ同期バーストロケーション（例えば、プライマリ同期信号（ＰＳＳ）、セカンダリ同期信号（ＳＳＳ））を共有することができる。例えば、第１のチャネル４１０の第１のインスタンスおよび第２のチャネル４１５の第１のインスタンスは、同じ同期バーストブロック、例えば、同期信号４２０を使用し得る。同じ同期バーストブロックは、点線で提示されているチャネルに対して使用され得る（例えば、チャネルは、１つのリソースブロックをシフトした）。
【００８８】
[0096]  いくつかの態様では、周波数帯域４０５中の同期バーストロケーション（sync burst location）は、関係（Ｘ＋１−Ｙ ＲＢ）に基づいて、チャネルラスタからダウン選択され得る。いくつかの態様では、これは、同期ラスタエントリ間の最大間隔であり得る。同じ同期バーストロケーションを使用して異なるチャネルをサポートするために、チャネルは、同じリソースブロックグリッド上にあり得る。チャネルラスタがリソースブロックサイズの倍数でない場合、２つのリソースブロックグリッドオフセット間の全てのチャネルラスタエントリもまた、サポートされ得る。例えば、１００ＫＨｚチャネルラスタおよび１８０ＫＨｚリソースブロックサイズでは、リソースブロックグリッドは、９００ＫＨｚであり得る。同期ラスタは、１００ｋＨｚと同じリソースブロックグリッド上の次のエントリである、１００ＫＨｚと９００ＫＨｚとの間（例えば、１００、２００、３００、４００、５００、６００、７００、８００ＫＨｚ）の１００ＫＨｚのラスタオフセットを有する全てのチャネルをカバーするために、１００ＫＨｚ〜８００ＫＨｚエントリを有し得る。
【００８９】
[0097]  いくつかの態様では、ＵＥは、各同期チャネルエントリに対するリソースブロックグリッド上にある２つのエントリ間にある各チャネルラスタエントリ上で同期信号（１つ以上）４２０を探索し得る。例えば、同期ラスタ距離（sync raster distance）が２ＭＨｚである場合（０、２ＭＨｚ、４ＭＨｚ、等）、ＵＥはまた、１００ｋｈｚ、２００、３００、４００、５００、６００、７００、および８００ｋＨｚ上、およびまた２．１、２．２、２．３、２．４、２．５、２．６、２．７、２．８ＭＨｚ上、等で探索し得る。
【００９０】
[0098]  図５は、本開示の態様にしたがった、チャネルおよび同期ラスタシグナリングをサポートするワイヤレスデバイス５０５のブロック図５００を示している。ワイヤレスデバイス５０５は、ここに説明されたような基地局１０５の態様の例であり得る。ワイヤレスデバイス５０５は、受信機５１０、基地局通信マネージャ５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【００９１】
[0099]  受信機５１０は、様々な情報チャネル（例えば、チャネルおよび同期ラスタシグナリングに関連する情報、データチャネル、および制御チャネル、等）に関連付けられた制御情報、ユーザデータ、またはパケットのような情報を受信し得る。情報は、デバイスの他のコンポーネントに渡され得る。受信機５１０は、図８を参照して説明されるトランシーバ８３５の態様の例であり得る。受信機５１０は、単一のアンテナまたはアンテナのセットを利用し得る。
【００９２】
[0100]  基地局通信マネージャ５１５は、図８を参照して説明される基地局通信マネージャ８１５の態様の例であり得る。
【００９３】
[0101]  基地局通信マネージャ５１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、基地局通信マネージャ５１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示に説明される機能を遂行するように設計されたそれらの任意の組み合わせによって実行され得る。基地局通信マネージャ５１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、基地局通信マネージャ５１５および／またはその様々なサブコンポーネントのうちの少なくともいくつかは、本開示の様々な態様にしたがった、別個のおよび異なるコンポーネントであり得る。他の例では、基地局通信マネージャ５１５および／またはその様々なサブコンポーネントのうちの少なくともいくつかは、本開示の様々な態様にしたがって、Ｉ／Ｏコンポーネント、トランシーバ、ネットワークサーバ、別のコンピューティングデバイス、本開示に説明される１つまたは複数の他のコンポーネント、またはそれらの組み合わせを含むがそれらに限定されない、１つまたは複数の他のハードウェアコンポーネントと組み合わされ得る。
【００９４】
[0102]  基地局通信マネージャ５１５は、チャネルのリソースブロックのセットに関連付けられたチャネルラスタを識別し得、リソースブロックのセットは、チャネルラスタに対して非対称関係を有する。基地局通信マネージャ５１５は、リソースブロックのセットのうちの第１のリソースブロックに関連付けられたロケーション情報およびチャネルラスタのインジケーションを含むリソースブロックオフセットメトリックを示すように、メッセージを非対称関係に基づいて構成し得る。基地局通信マネージャ５１５は、リソースブロックオフセットメトリックのインジケーションを伝達するために、メッセージを送信し得る。
【００９５】
[0103]  送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図８を参照して説明されるトランシーバ８３５の態様の例であり得る。送信機５２０は、単一のアンテナまたはアンテナのセットを利用し得る。
【００９６】
[0104]  図６は、本開示の態様にしたがった、チャネルおよび同期ラスタシグナリングをサポートするワイヤレスデバイス６０５のブロック図６００を示している。ワイヤレスデバイス６０５は、ここに説明されたようなワイヤレスデバイス５０５または基地局１０５の態様の例であり得る。ワイヤレスデバイス６０５は、受信機６１０、基地局通信マネージャ６１５、および送信機６２０を含み得る。ワイヤレスデバイス６０５はまた、プロセッサを含み得る。これらのコンポーネントの各々は、（例えば、１つまたは複数のバスを介して）互いと通信状態にあり得る。
【００９７】
[0105]  受信機６１０は、様々な情報チャネル（例えば、チャネルおよび同期ラスタシグナリングに関連する情報、データチャネル、および制御チャネル、等）に関連付けられた制御情報、ユーザデータ、またはパケットのような情報を受信し得る。情報は、デバイスの他のコンポーネントに渡され得る。受信機６１０は、図８を参照して説明されるトランシーバ８３５の態様の例であり得る。受信機６１０は、単一のアンテナまたはアンテナのセットを利用し得る。
【００９８】
[0106]  基地局通信マネージャ６１５は、図８を参照して説明される基地局通信マネージャ８１５の態様の例であり得る。基地局通信マネージャ６１５はまた、チャネルラスタ識別マネージャ（channel raster identification manager）６２５、チャネルラスタインジケーションマネージャ（channel raster indication manager）６３０、およびチャネルラスタ通信マネージャ（channel raster communication manager）６３５を含み得る。
【００９９】
[0107]  チャネルラスタ識別マネージャ６２５は、チャネルのリソースブロックのセットに関連付けられたチャネルラスタを識別し得、リソースブロックのセットは、チャネルラスタに対して非対称関係を有する。いくつかのケースでは、チャネルは、アップリンクチャネル、ダウンリンクチャネル、またはそれらの組み合わせのうちの少なくとも１つに関連付けられる。
【０１００】
[0108]  チャネルラスタインジケーションマネージャ６３０は、リソースブロックのセットのうちの第１のリソースブロックに関連付けられたロケーション情報およびチャネルラスタのインジケーションを含むリソースブロックオフセットメトリックを示すように、メッセージを非対称関係に基づいて構成し得る。
【０１０１】
[0109]  チャネルラスタ通信マネージャ６３５は、リソースブロックオフセットメトリックのインジケーションを伝達するために、メッセージを送信し得る。いくつかのケースでは、メッセージは、ブロードキャストメッセージ、ＵＥ固有メッセージ、またはそれらの組み合わせのうちの少なくとも１つを含む。
【０１０２】
[0110]  送信機６２０は、デバイスの他のコンポーネントによって生成される信号を送信し得る。いくつかの例では、送信機６２０は、トランシーバモジュール中で受信機６１０とコロケートされ得る。例えば、送信機６２０は、図８を参照して説明されるトランシーバ８３５の態様の例であり得る。送信機６２０は、単一のアンテナまたはアンテナのセットを利用し得る。
【０１０３】
[0111]  図７は、本開示の態様にしたがった、チャネルおよび同期ラスタシグナリングをサポートする基地局通信マネージャ７１５のブロック図７００を示している。基地局通信マネージャ７１５は、図５、６、および８を参照して説明される基地局通信マネージャ５１５、基地局通信マネージャ６１５、または基地局通信マネージャ８１５の態様の例であり得る。基地局通信マネージャ７１５は、チャネルラスタ識別マネージャ７２０、チャネルラスタインジケーションマネージャ７２５、チャネルラスタ通信マネージャ７３０、オフセットマネージャ７３５、能力マネージャ７４０、ギャップマネージャ７４５、およびラスタオフセットマネージャ７５０を含み得る。これらのモジュールの各々は、（例えば、１つまたは複数のバスを介して）互いと直接的にまたは間接的に通信し得る。
【０１０４】
[0112]  チャネルラスタ識別マネージャ７２０は、チャネルのリソースブロックのセットに関連付けられたチャネルラスタを識別し得、リソースブロックのセットは、チャネルラスタに対して非対称関係を有する。いくつかのケースでは、チャネルは、アップリンクチャネル、ダウンリンクチャネル、またはそれらの組み合わせのうちの少なくとも１つに関連付けられる。
【０１０５】
[0113]  チャネルラスタインジケーションマネージャ７２５は、リソースブロックのセットのうちの第１のリソースブロックに関連付けられたロケーション情報およびチャネルラスタのインジケーションを含むリソースブロックオフセットメトリックを示すように、メッセージを非対称関係に基づいて構成し得る。
【０１０６】
[0114]  チャネルラスタ通信マネージャ７３０は、リソースブロックオフセットメトリックのインジケーションを伝達するために、メッセージを送信し得る。いくつかのケースでは、メッセージは、ブロードキャストメッセージ、ＵＥ固有メッセージ、またはそれらの組み合わせのうちの少なくとも１つを含む。
【０１０７】
[0115]  オフセットマネージャ７３５は、第１のリソースブロックとチャネルラスタとの間のオフセット距離を、非対称関係に基づいて識別し得、ここで、ロケーション情報は、オフセット距離を含む。オフセットマネージャ７３５は、第１のリソースブロックに関連付けられた周波数を、非対称関係に基づいて識別し得、ここで、ロケーション情報は、周波数を含む。オフセットマネージャ７３５は、リソースブロックのセットに関連付けられたリソースブロックカウントを、非対称関係に基づいて識別し得、ここで、ロケーション情報は、リソースブロックカウントを含む。いくつかのケースでは、オフセット距離は、周波数オフセットまたはリソースブロックカウントオフセットのうちの少なくとも１つを含む。
【０１０８】
[0116]  能力マネージャ７４０は、ＵＥ能力を識別することと、およびＵＥ能力に基づいてチャネルラスタを識別することとを行い得る。能力マネージャ７４０は、リソースブロックオフセットメトリックのインジケーションを伝達するために、シグナリングスキームをＵＥ能力に基づいて選択し得る。
【０１０９】
[0117]  ギャップマネージャ７４５は、リソースブロックのセット中の１つまたは複数の未使用のリソースブロックを識別することと、１つまたは複数の未使用のリソースブロックに関連付けられたロケーションパラメータを示すように、メッセージを１つまたは複数の未使用のリソースブロックに基づいて構成することとを行い得る。いくつかのケースでは、ロケーションパラメータは、連続するリソースブロックに関連付けられたリソースブロックカウントおよび第１のリソースブロック、１つまたは複数の未使用のリソースブロックに関連付けられた識別子、またはそれらの組み合わせうちの少なくとも１つを含む。いくつかのケースでは、１つまたは複数の未使用のリソースブロックの各々は、所定の数の割り振られていないリソース要素を有するリソースブロックを含む。
【０１１０】
[0118]  ラスタオフセットマネージャ（Raster offset manager）７５０は、帯域の第１のチャネルと第２のチャネルとの間の同期ラスタオフセットを識別し得、第１のチャネルおよび第２のチャネルは、共通リソースブロックグリッドを共有する。ラスタオフセットマネージャ７５０は、同期ラスタオフセット間にある共通リソースブロックグリッドの各リソースブロックエントリ上で同期信号を送信し得る。ラスタオフセットマネージャ７５０は、共通リソースブロックグリッド上にある２つのエントリ間にある各チャネルラスタエントリ上で同期信号を送信し得る。いくつかのケースでは、同期ラスタオフセットは、９００ＫＨｚラスタオフセットを含み、および各リソースブロックエントリは、１００ＫＨｚ刻みでロケートされる。
【０１１１】
[0119]  図８は、本開示の態様にしたがった、チャネルおよび同期ラスタシグナリングをサポートするデバイス８０５を含むシステム８００の図を示している。デバイス８０５は、ここに説明されたようなワイヤレスデバイス５０５、ワイヤレスデバイス６０５、または基地局１０５の態様のコンポーネントの例であり得るか、またはそれらを含み得る。デバイス８０５は、基地局通信マネージャ８１５、プロセッサ８２０、メモリ８２５、ソフトウェア８３０、トランシーバ８３５、アンテナ８４０、ネットワーク通信マネージャ８４５、および局間通信マネージャ８５０を含む、通信を送信および受信するためのコンポーネントを含む双方向音声およびデータ通信のためのコンポーネントを含み得る。これらのコンポーネントは、１つまたは複数のバス（例えば、バス８１０）を介して電子通信状態にあり得る。デバイス８０５は、１つまたは複数のＵＥ１１５とワイヤレスに通信し得る。
【０１１２】
[0120]  プロセッサ８２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはそれらの任意の組み合わせ）を含み得る。いくつかのケースでは、プロセッサ８２０は、メモリコントローラを使用してメモリアレイを動作させるように構成され得る。他のケースでは、メモリコントローラは、プロセッサ８２０へと統合され得る。プロセッサ８２０は、様々な機能（例えば、チャネルおよび同期ラスタシグナリングをサポートする機能またはタスク）を遂行するために、メモリ中に記憶されたコンピュータ可読命令を実行するように構成され得る。
【０１１３】
[0121]  メモリ８２５は、ランダムアクセスメモリ（ＲＡＭ）および読取専用メモリ（ＲＯＭ）を含み得る。メモリ８２５は、実行されると、プロセッサに、ここに説明された様々な機能を遂行することを行わせる命令を含むコンピュータ可読、コンピュータ実行可能ソフトウェア８３０を記憶し得る。いくつかのケースでは、メモリ８２５は、中でもとりわけ、周辺コンポーネントまたはデバイスとの対話のような基本ハードウェアまたはソフトウェア動作を制御し得る基本入力／出力システム（ＢＩＯＳ：a basic input/output system）を包含し得る。
【０１１４】
[0122]  ソフトウェア８３０は、チャネルおよび同期ラスタシグナリングをサポートするためのコードを含む、本開示の態様をインプリメントするためのコードを含み得る。ソフトウェア８３０は、システムメモリまたは他のメモリのような非一時的コンピュータ可読媒体中に記憶され得る。いくつかのケースでは、ソフトウェア８３０は、プロセッサによって直接的に実行可能でないことがあり得るが、（例えば、コンパイルおよび実行されると）コンピュータに、ここに説明された機能を遂行することを行わせ得る。
【０１１５】
[0123]  トランシーバ８３５は、上述されたように、１つまたは複数のアンテナ、ワイヤードまたはワイヤレスリンクを介して双方向に通信し得る。例えば、トランシーバ８３５は、ワイヤレストランシーバを表し得、および別のワイヤレストランシーバと双方向に通信し得る。トランシーバ８３５はまた、パケットを変調し、および送信のためにアンテナに変調されたパケットを提供することと、アンテナから受信されたパケットを復調することとを行うためのモデムを含み得る。
【０１１６】
[0124]  いくつかのケースでは、ワイヤレスデバイスは、単一のアンテナ８４０を含み得る。しかしながら、いくつかのケースでは、デバイスは、１つよりも多くのアンテナ８４０を有し得、それらは、複数のワイヤレス送信を同時に送信または受信することが可能であり得る。
【０１１７】
[0125]  ネットワーク通信マネージャ８４５は、（例えば、１つまたは複数のワイヤードバックホールリンクを介して）コアネットワークとの通信を管理し得る。例えば、ネットワーク通信マネージャ８４５は、１つまたは複数のＵＥ１１５のようなクライアントデバイスのためのデータ通信の転送を管理し得る。
【０１１８】
[0126]  局間通信マネージャ（Inter-station communications manager）８５０は、他の基地局１０５との通信を管理し得、および他の基地局１０５と連携してＵＥ１１５との通信を制御するためのコントローラまたはスケジューラを含み得る。例えば、局間通信マネージャ８５０は、ビームフォーミングまたはジョイント送信（joint transmission）のような様々な干渉緩和技法（interference mitigation technique）のために、ＵＥ１１５への送信のためのスケジューリングを調整し得る。いくつかの例では、局間通信マネージャ８５０は、基地局１０５間での通信を提供するために、ＬＴＥ／ＬＴＥ−Ａワイヤレス通信ネットワーク技術内のＸ２インターフェースを提供し得る。
【０１１９】
[0127]  図９は、本開示の態様にしたがった、チャネルおよび同期ラスタシグナリングをサポートするワイヤレスデバイス９０５のブロック図９００を示している。ワイヤレスデバイス９０５は、ここに説明されたようなＵＥ１１５の態様の例であり得る。ワイヤレスデバイス９０５は、受信機９１０、ＵＥ通信マネージャ９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１２０】
[0128]  受信機９１０は、様々な情報チャネル（例えば、チャネルおよび同期ラスタシグナリングに関連する情報、データチャネル、および制御チャネル、等）に関連付けられた制御情報、ユーザデータ、またはパケットのような情報を受信し得る。情報は、デバイスの他のコンポーネントに渡され得る。受信機９１０は、図１２を参照して説明されるトランシーバ１２３５の態様の例であり得る。受信機９１０は、単一のアンテナまたはアンテナのセットを利用し得る。
【０１２１】
[0129]  ＵＥ通信マネージャ９１５は、図１２を参照して説明されるＵＥ通信マネージャ１２１５の態様の例であり得る。
【０１２２】
[0130]  ＵＥ通信マネージャ９１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、ＵＥ通信マネージャ９１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示に説明される機能を遂行するように設計されたそれらの任意の組み合わせによって実行され得る。ＵＥ通信マネージャ９１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、ＵＥ通信マネージャ９１５および／またはその様々なサブコンポーネントのうちの少なくともいくつかは、本開示の様々な態様したがった、別個のおよび異なるコンポーネントであり得る。他の例では、ＵＥ通信マネージャ９１５および／またはその様々なサブコンポーネントのうちの少なくともいくつかは、本開示の様々な態様にしたがって、Ｉ／Ｏコンポーネント、トランシーバ、ネットワークサーバ、別のコンピューティングデバイス、本開示に説明される１つまたは複数の他のコンポーネント、またはそれらの組み合わせを含むがそれらに限定されない、１つまたは複数の他のハードウェアコンポーネントと組み合わされ得る。
【０１２３】
[0131]  ＵＥ通信マネージャ９１５は、リソースブロックオフセットメトリックのインジケーションを含むメッセージを受信することと、チャネルのリソースブロックのセットに関連付けられたチャネルラスタを、リソースブロックオフセットメトリックに基づいて識別することとを行い得、リソースブロックのセットは、チャネルラスタに対して非対称関係を有する。
【０１２４】
[0132]  送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の例であり得る。送信機９２０は、単一のアンテナまたはアンテナのセットを利用し得る。
【０１２５】
[0133]  図１０は、本開示の態様にしたがった、チャネルおよび同期ラスタシグナリングをサポートするワイヤレスデバイス１００５のブロック図１０００を示している。ワイヤレスデバイス１００５は、ここに説明されたようなワイヤレスデバイス９０５またはＵＥ１１５の態様の例であり得る。ワイヤレスデバイス１００５は、受信機１０１０、ＵＥ通信マネージャ１０１５、および送信機１０２０を含み得る。ワイヤレスデバイス１００５はまた、プロセッサを含み得る。これらのコンポーネントの各々は、（例えば、１つまたは複数のバスを介して）互いと通信状態にあり得る。
【０１２６】
[0134]  受信機１０１０は、様々な情報チャネル（例えば、チャネルおよび同期ラスタシグナリングに関連する情報、データチャネル、および制御チャネル、等）に関連付けられた制御情報、ユーザデータ、またはパケットのような情報を受信し得る。情報は、デバイスの他のコンポーネントに渡され得る。受信機１０１０は、図１２を参照して説明されるトランシーバ１２３５の態様の例であり得る。受信機１０１０は、単一のアンテナまたはアンテナのセットを利用し得る。
【０１２７】
[0135]  ＵＥ通信マネージャ１０１５は、図１２を参照して説明されるＵＥ通信マネージャ１２１５の態様の例であり得る。ＵＥ通信マネージャ１０１５はまた、チャネルラスタ通信マネージャ１０２５およびチャネルラスタ識別マネージャ１０３０を含み得る。
【０１２８】
[0136]  チャネルラスタ通信マネージャ１０２５は、リソースブロックオフセットメトリックのインジケーションを含むメッセージを受信し得る。いくつかのケースでは、メッセージは、ブロードキャストメッセージ、ＵＥ固有メッセージ、またはそれらの組み合わせのうちの少なくとも１つを含む。
【０１２９】
[0137]  チャネルラスタ識別マネージャ１０３０は、チャネルのリソースブロックのセットに関連付けられたチャネルラスタを、リソースブロックオフセットメトリックに基づいて識別し得、リソースブロックのセットは、チャネルラスタに対して非対称関係を有する。
【０１３０】
[0138]  送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の例であり得る。送信機１０２０は、単一のアンテナまたはアンテナのセットを利用し得る。
【０１３１】
[0139]  図１１は、本開示の態様にしたがった、チャネルおよび同期ラスタシグナリングをサポートするＵＥ通信マネージャ１１１５のブロック図１１００を示している。ＵＥ通信マネージャ１１１５は、図９、１０、および１２を参照して説明されるＵＥ通信マネージャ１２１５の態様の例であり得る。ＵＥ通信マネージャ１１１５は、チャネルラスタ通信マネージャ１１２０、チャネルラスタ識別マネージャ１１２５、オフセットマネージャ１１３０、ギャップマネージャ１１３５、およびラスタオフセットマネージャ１１４０を含み得る。これらのモジュールの各々は、（例えば、１つまたは複数のバスを介して）互いと直接的にまたは間接的に通信し得る。
【０１３２】
[0140]  チャネルラスタ通信マネージャ１１２０は、リソースブロックオフセットメトリックのインジケーションを含むメッセージを受信し得る。いくつかのケースでは、メッセージは、ブロードキャストメッセージ、ＵＥ固有メッセージ、またはそれらの組み合わせのうちの少なくとも１つを含む。
【０１３３】
[0141]  チャネルラスタ識別マネージャ１１２５は、チャネルのリソースブロックのセットに関連付けられたチャネルラスタを、リソースブロックオフセットメトリックに基づいて識別し得、リソースブロックのセットは、チャネルラスタに対して非対称関係を有する。
【０１３４】
[0142]  オフセットマネージャ１１３０は、第１のリソースブロックとチャネルラスタとの間のオフセット距離を、非対称関係に基づいて識別し得、ここで、リソースブロックオフセットメトリックは、オフセット距離を含む。オフセットマネージャ１１３０は、第１のリソースブロックに関連付けられた周波数を、非対称関係に基づいて識別し得、ここで、リソースブロックオフセットメトリックは、周波数を含む。オフセットマネージャ１１３０は、リソースブロックのセットに関連付けられたリソースブロックカウントを、非対称関係に基づいて識別し得、ここで、リソースブロックオフセットメトリックは、リソースブロックカウントを含む。いくつかのケースでは、オフセット距離は、周波数オフセットまたはリソースブロックカウントオフセットのうちの少なくとも１つを含む。
【０１３５】
[0143]  ギャップマネージャ１１３５は、リソースブロックのセット中に１つまたは複数の未使用のリソースブロックが存在することを、メッセージに基づいて決定することと、１つまたは複数の未使用のリソースブロックに関連付けられたロケーションパラメータを、メッセージに基づいて識別することとを行い得る。いくつかのケースでは、ロケーションパラメータは、連続するリソースブロックに関連付けられたリソースブロックカウントおよび第１のリソースブロック、１つまたは複数の未使用のリソースブロックに関連付けられた識別子、またはそれらの組み合わせうちの少なくとも１つを含む。いくつかのケースでは、１つまたは複数の未使用のリソースブロックの各々は、所定の数の割り振られていないリソース要素を有するリソースブロックを含む。
【０１３６】
[0144]  ラスタオフセットマネージャ１１４０は、帯域の第１のチャネルと第２のチャネルとの間の同期ラスタオフセットを、メッセージに基づいて識別し得、第１のチャネルおよび第２のチャネルは、共通リソースブロックグリッドを共有する。ラスタオフセットマネージャ１１４０は、同期ラスタオフセット間にある共通リソースブロックグリッドの各リソースブロックエントリ上で同期信号についてモニタし得る。ラスタオフセットマネージャ１１４０は、共通リソースブロックグリッド上にある２つのエントリ間にある各チャネルラスタエントリ上で同期信号についてモニタし得る。いくつかのケースでは、同期ラスタオフセットは、９００ＫＨｚラスタオフセットを含む。
【０１３７】
[0145]  図１２は、本開示の態様にしたがった、チャネルおよび同期ラスタシグナリングをサポートするデバイス１２０５を含むシステム１２００の図を示している。デバイス１２０５は、ここに説明されたようなＵＥ１１５のコンポーネントの例であり得るか、またはそれらを含み得る。デバイス１２０５は、ＵＥ通信マネージャ１２１５、プロセッサ１２２０、メモリ１２２５、ソフトウェア１２３０、トランシーバ１２３５、アンテナ１２４０、およびＩ／Ｏコントローラ１２４５を含む、通信を送信および受信するためのコンポーネントを含む双方向音声およびデータ通信のためのコンポーネントを含み得る。これらのコンポーネントは、１つまたは複数のバス（例えば、バス１２１０）を介して電子通信状態にあり得る。デバイス１２０５は、１つまたは複数の基地局１０５とワイヤレスに通信し得る。
【０１３８】
[0146]  プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはそれらの任意の組み合わせ）を含み得る。いくつかのケースでは、プロセッサ１２２０は、メモリコントローラを使用してメモリアレイを動作させるように構成され得る。他のケースでは、メモリコントローラは、プロセッサ１２２０へと統合され得る。プロセッサ１２２０は、様々な機能（例えば、チャネルおよび同期ラスタシグナリングをサポートする機能またはタスク）を遂行するために、メモリ中に記憶されたコンピュータ可読命令を実行するように構成され得る。
【０１３９】
[0147]  メモリ１２２５は、ＲＡＭおよびＲＯＭを含み得る。メモリ１２２５は、実行されると、プロセッサに、ここに説明された様々な機能を遂行することを行わせる命令を含むコンピュータ可読、コンピュータ実行可能ソフトウェア１２３０を記憶し得る。いくつかのケースでは、メモリ１２２５は、中でもとりわけ、周辺コンポーネントまたはデバイスとの対話のような基本ハードウェアまたはソフトウェア動作を制御し得るＢＩＯＳを包含し得る。
【０１４０】
[0148]  ソフトウェア１２３０は、チャネルおよび同期ラスタシグナリングをサポートするためのコードを含む、本開示の態様をインプリメントするためのコードを含み得る。ソフトウェア１２３０は、システムメモリまたは他のメモリのような非一時的コンピュータ可読媒体中に記憶され得る。いくつかのケースでは、ソフトウェア１２３０は、プロセッサによって直接的に実行可能でないことがあり得るが、（例えば、コンパイルおよび実行されると）コンピュータに、ここに説明された機能を遂行することを行わせ得る。
【０１４１】
[0149]  トランシーバ１２３５は、上述されたように、１つまたは複数のアンテナ、ワイヤードまたはワイヤレスリンクを介して双方向に通信し得る。例えば、トランシーバ１２３５は、ワイヤレストランシーバを表し得、および別のワイヤレストランシーバと双方向に通信し得る。トランシーバ１２３５はまた、パケットを変調し、および送信のためにアンテナに変調されたパケットを提供することと、アンテナから受信されたパケットを復調することとを行うためのモデムを含み得る。
【０１４２】
[0150]  いくつかのケースでは、ワイヤレスデバイスは、単一のアンテナ１２４０を含み得る。しかしながら、いくつかのケースでは、デバイスは、１つよりも多くのアンテナ１２４０を有し得、それらは、複数のワイヤレス送信を同時に送信または受信することが可能であり得る。
【０１４３】
[0151]  Ｉ／Ｏコントローラ１２４５は、デバイス１２０５のための入力および出力信号を管理し得る。Ｉ／Ｏコントローラ１２４５はまた、デバイス１２０５へと統合されていない周辺機器を管理し得る。いくつかのケースでは、Ｉ／Ｏコントローラ１２４５は、外部周辺機器への物理的接続またはポートを表し得る。いくつかのケースでは、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムのようなオペレーティングシステムを利用し得る。他のケースでは、Ｉ／Ｏコントローラ１２４５は、モデム、キーボード、マウス、タッチスクリーン、または同様のデバイスを表し得るか、またはそれらと対話し得る。いくつかのケースでは、Ｉ／Ｏコントローラ１２４５は、プロセッサの一部としてインプリメントされ得る。いくつかのケースでは、ユーザは、Ｉ／Ｏコントローラ１２４５を介して、またはＩ／Ｏコントローラ１２４５によって制御されるハードウェアコンポーネントを介して、デバイス１２０５と対話し得る。
【０１４４】
[0152]  図１３は、本開示の態様にしたがった、チャネルおよび同期ラスタシグナリングのための方法１３００を例示するフローチャートを示している。方法１３００の動作は、ここに説明されたような基地局１０５またはそのコンポーネントによってインプリメントされ得る。例えば、方法１３００の動作は、図５〜８を参照して説明されたような基地局通信マネージャによって遂行され得る。いくつかの例では、基地局１０５は、以下に説明される機能を遂行するために、デバイスの機能的な要素を制御するためのコードのセットを実行し得る。加えてまたは代替として、基地局１０５は、専用ハードウェアを使用して、以下に説明される機能の態様を遂行し得る。
【０１４５】
[0153]  ブロック１３０５において、基地局１０５は、チャネルの複数のリソースブロックに関連付けられたチャネルラスタを識別し得、複数のリソースブロックは、チャネルラスタに対して非対称関係を有する。ブロック１３０５の動作は、ここに説明された方法にしたがって遂行され得る。ある特定の例では、ブロック１３０５の動作の態様は、図５〜８を参照して説明されたようなチャネルラスタ識別マネージャによって遂行され得る。
【０１４６】
[0154]  ブロック１３１０において、基地局１０５は、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成し得る。ブロック１３１０の動作は、ここに説明された方法にしたがって遂行され得る。ある特定の例では、ブロック１３１０の動作の態様は、図５〜８を参照して説明されたようなチャネルラスタインジケーションマネージャによって遂行され得る。
【０１４７】
[0155]  ブロック１３１５において、基地局１０５は、リソースブロックオフセットメトリックのインジケーションを伝達するために、メッセージを送信し得る。ブロック１３１５の動作は、ここに説明された方法にしたがって遂行され得る。ある特定の例では、ブロック１３１５の動作の態様は、図５〜８を参照して説明されたようなチャネルラスタ通信マネージャによって遂行され得る。
【０１４８】
[0156]  図１４は、本開示の態様にしたがった、チャネルおよび同期ラスタシグナリングのための方法１４００を例示するフローチャートを示している。方法１４００の動作は、ここに説明されたような基地局１０５またはそのコンポーネントによってインプリメントされ得る。例えば、方法１４００の動作は、図５〜８を参照して説明されたような基地局通信マネージャによって遂行され得る。いくつかの例では、基地局１０５は、以下に説明される機能を遂行するために、デバイスの機能的な要素を制御するためのコードのセットを実行し得る。加えてまたは代替として、基地局１０５は、専用ハードウェアを使用して、以下に説明される機能の態様を遂行し得る。
【０１４９】
[0157]  ブロック１４０５において、基地局１０５は、チャネルの複数のリソースブロックに関連付けられたチャネルラスタを識別し得、複数のリソースブロックは、チャネルラスタに対して非対称関係を有する。ブロック１４０５の動作は、ここに説明された方法にしたがって遂行され得る。ある特定の例では、ブロック１４０５の動作の態様は、図５〜８を参照して説明されたようなチャネルラスタ識別マネージャによって遂行され得る。
【０１５０】
[0158]  ブロック１４１０において、基地局１０５は、複数のリソースブロック中の１つまたは複数の未使用のリソースブロックを識別し得る。ブロック１４１０の動作は、ここに説明された方法にしたがって遂行され得る。ある特定の例では、ブロック１４１０の動作の態様は、図５〜８を参照して説明されたようなギャップマネージャによって遂行され得る。
【０１５１】
[0159]  ブロック１４１５において、基地局１０５は、複数のリソースブロックのうちの第１のリソースブロックに関連付けられたロケーション情報およびチャネルラスタのインジケーションを備えるリソースブロックオフセットメトリックを示すように、メッセージを非対称関係に少なくとも部分的に基づいて構成し得る。ブロック１４１５の動作は、ここに説明された方法にしたがって遂行され得る。ある特定の例では、ブロック１４１５の動作の態様は、図５〜８を参照して説明されたようなチャネルラスタインジケーションマネージャによって遂行され得る。
【０１５２】
[0160]  ブロック１４２０において、基地局１０５は、１つまたは複数の未使用のリソースブロックに関連付けられたロケーションパラメータを示すように、メッセージを１つまたは複数の未使用のリソースブロックに少なくとも部分的に基づいて構成し得る。ブロック１４２０の動作は、ここに説明された方法にしたがって遂行され得る。ある特定の例では、ブロック１４２０の動作の態様は、図５〜８を参照して説明されたようなギャップマネージャによって遂行され得る。
【０１５３】
[0161]  ブロック１４２５において、基地局１０５は、リソースブロックオフセットメトリックのインジケーションを伝達するために、メッセージを送信し得る。ブロック１４２５の動作は、ここに説明された方法にしたがって遂行され得る。ある特定の例では、ブロック１４２５の動作の態様は、図５〜８を参照して説明されたようなチャネルラスタ通信マネージャによって遂行され得る。
【０１５４】
[0162]  図１５は、本開示の態様にしたがった、チャネルおよび同期ラスタシグナリングのための方法１５００を例示するフローチャートを示している。方法１５００の動作は、ここに説明されたようなＵＥ１１５またはそのコンポーネントによってインプリメントされ得る。例えば、方法１５００の動作は、図９〜１２を参照して説明されたようなＵＥ通信マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、専用ハードウェアを使用して、以下に説明される機能の態様を遂行し得る。
【０１５５】
[0163]  ブロック１５０５において、ＵＥ１１５は、リソースブロックオフセットメトリックのインジケーションを備えるメッセージを受信し得る。ブロック１５０５の動作は、ここに説明された方法にしたがって遂行され得る。ある特定の例では、ブロック１５０５の動作の態様は、図９〜１２を参照して説明されたようなチャネルラスタ通信マネージャによって遂行され得る。
【０１５６】
[0164]  ブロック１５１０において、ＵＥ１１５は、チャネルの複数のリソースブロックに関連付けられたチャネルラスタを、リソースブロックオフセットメトリックに少なくとも部分的に基づいて識別し得、複数のリソースブロックは、チャネルラスタに対して非対称関係を有する。ブロック１５１０の動作は、ここに説明された方法にしたがって遂行され得る。ある特定の例では、ブロック１５１０の動作の態様は、図９〜１２を参照して説明されたようなチャネルラスタ識別マネージャによって遂行され得る。
【０１５７】
[0165]  図１６は、本開示の態様にしたがった、チャネルおよび同期ラスタシグナリングのための方法１６００を例示するフローチャートを示している。方法１６００の動作は、ここに説明されたようなＵＥ１１５またはそのコンポーネントによってインプリメントされ得る。例えば、方法１６００の動作は、図９〜１２を参照して説明されたようなＵＥ通信マネージャによって遂行され得る。いくつかの例では、ＵＥ１１５は、以下に説明される機能を遂行するために、デバイスの機能的な要素を制御するためのコードのセットを実行し得る。加えてまたは代替として、ＵＥ１１５は、専用ハードウェアを使用して、以下に説明される機能の態様を遂行し得る。
【０１５８】
[0166]  ブロック１６０５において、ＵＥ１１５は、リソースブロックオフセットメトリックのインジケーションを備えるメッセージを受信し得る。ブロック１６０５の動作は、ここに説明された方法にしたがって遂行され得る。ある特定の例では、ブロック１６０５の動作の態様は、図９〜１２を参照して説明されたようなチャネルラスタ通信マネージャによって遂行され得る。
【０１５９】
[0167]  ブロック１６１０において、ＵＥ１１５は、チャネルの複数のリソースブロックに関連付けられたチャネルラスタを、リソースブロックオフセットメトリックに少なくとも部分的に基づいて識別し得、複数のリソースブロックは、チャネルラスタに対して非対称関係を有する。ブロック１６１０の動作は、ここに説明された方法にしたがって遂行され得る。ある特定の例では、ブロック１６１０の動作の態様は、図９〜１２を参照して説明されたようなチャネルラスタ識別マネージャによって遂行され得る。
【０１６０】
[0168]  ブロック１６１５において、ＵＥ１１５は、第１のリソースブロックとチャネルラスタとの間のオフセット距離を、非対称関係に少なくとも部分的に基づいて識別し得、ここにおいて、リソースブロックオフセットメトリックは、オフセット距離を備える。ブロック１６１５の動作は、ここに説明された方法にしたがって遂行され得る。ある特定の例では、ブロック１６１５の動作の態様は、図９〜１２を参照して説明されたようなオフセットマネージャによって遂行され得る。
【０１６１】
[0169]  上述された方法は、可能なインプリメンテーションを説明しており、動作およびステップは、再配列またはそうでない場合は修正され得、および他のインプリメンテーションが可能であることに留意されたい。さらに、それら方法のうちの２つ以上からの態様が組み合わされ得る。
【０１６２】
[0170]  ここに説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、交換可能に使用されることが多い。符号分割多元接続（ＣＤＭＡ）システムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。
【０１６３】
[0171]  ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術をインプリメントし得る。ＵＴＲＡおよびＥ−ＵＴＲＡは、ユニバーサルモバイル電気通信システム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書中に説明されている。ＣＤＭＡ２０００およびＵＭＢは、「第３世代パートナーシッププロジェクト２」（３ＧＰＰ２）という名称の組織からの文書中に説明されている。ここに説明された技法は、上述されたシステムおよび無線技術ならびに他のシステムおよび無線技術のために使用され得る。ＬＴＥまたはＮＲシステムの態様が、例を目的として説明され得、およびＬＴＥまたはＮＲの専門用語が、説明の大部分において使用され得る一方で、ここに説明された技法は、ＬＴＥまたはＮＲアプリケーションを超えて適用可能である。
【０１６４】
[0172]  ここに説明されたそのようなネットワークを含むＬＴＥ／ＬＴＥ−Ａネットワークでは、発展型ノードＢ（ｅＮＢ）という用語は概して、基地局を説明するために使用され得る。ここに説明された１つまたは複数のワイヤレス通信システムは、異なるタイプのｅＮＢが様々な地理的領域に対してカバレッジを提供する異種ＬＴＥ／ＬＴＥ−ＡまたはＮＲネットワークを含み得る。例えば、各ｅＮＢ、次世代ノードＢ（ｇＮＢ）、または基地局は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア、あるいはキャリアまたは基地局のカバレッジエリア（例えば、セクタ、等）を説明するために使用され得る。
【０１６５】
[0173]  基地局は、ベーストランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分のみを構成するセクタへと分割され得る。ここに説明された１つまたは複数のワイヤレス通信システムは、異なるタイプの基地局（例えば、マクロまたはスモールセル基地局）を含み得る。ここに説明されたＵＥは、マクロｅＮＢ、スモールセルｅＮＢ、ｇＮＢ、中継基地局、および同様のものを含む様々なタイプの基地局およびネットワーク機器と通信することが可能であり得る。異なる技術のために重複する地理的カバレッジエリアが存在し得る。
【０１６６】
[0174]  マクロセルは概して、比較的大きい地理的エリア（例えば、半径数キロメートル）をカバーし、およびネットワークプロバイダにサービス加入しているＵＥによる無制限のアクセスを可能にし得る。スモールセルは、マクロセルと同じまたは異なる（例えば、ラインセンス、アンライセンス、等の）周波数帯域中で動作し得る、マクロセルと比較するとより低電力の基地局である。スモールセルは、様々な例にしたがって、ピコセル、フェムトセル、およびマイクロセルを含み得る。ピコセルは、例えば、小さい地理的エリアをカバーし得、およびネットワークプロバイダにサービス加入しているＵＥによる無制限のアクセスを可能にし得る。フェムトセルもまた、小さい地理的エリア（例えば、家）をカバーし得、およびフェムトセルとのアソシエーションを有するＵＥ（例えば、クローズド加入者グループ（ＣＳＧ：closed subscriber group）中のＵＥ、家の中にいるユーザのためのＵＥ、および同様のもの）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、および同様の数）のセル（例えば、コンポーネントキャリア）をサポートし得る。
【０１６７】
[0175]  ここに説明された１つまたは複数のワイヤレス通信システムは、同期または非同期動作をサポートし得る。同期動作の場合、基地局は、同様のフレームタイミングを有し得、および異なる基地局からの送信は、ほぼ時間的に揃えられ得る（approximately aligned in time）。非同期動作の場合、基地局は、異なるフレームタイミングを有し得、および異なる基地局からの送信は、時間的に揃えられないことがあり得る。ここに説明された技法は、同期または非同期動作のいずれかのために使用され得る。
【０１６８】
[0176]  ここに説明されたダウンリンク送信はまた、順方向リンク送信と呼ばれ得、その一方でアップリンク送信はまた、逆方向リンク送信と呼ばれ得る。例えば、図１のワイヤレス通信システム１００を含む、ここに説明された各通信リンクは、１つまたは複数のキャリアを含み得、ここで、各キャリアは、複数のサブキャリア（例えば、異なる周波数の波形信号）から構成される信号であり得る。
【０１６９】
[0177]  添付された図面に関連してここに記載された説明は、実例的な構成を説明しており、およびインプリメントされ得るまたは特許請求の範囲内にある全ての例を表してはいない。ここに使用される「例証的（exemplary）」という用語は、「例、事例、または例示としての役割を果たすこと」を意味し、および「好ましい」または「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造およびデバイスは、説明された例の概念を曖昧にすることを避けるために、ブロック図形式で示されている。
【０１７０】
[0178]  添付された図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【０１７１】
[0179]  ここに説明された情報および信号は、多様な異なる技術および技法のうちの任意のものを使用して表わされ得る。例えば、上記の説明全体を通じて参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１７２】
[0180]  ここでの開示に関連して説明された様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を遂行するように設計されたそれらの任意の組み合わせを用いてインプリメントまたは遂行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成）としてインプリメントされ得る。
【０１７３】
[0181]  ここに説明された機能は、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、それら機能は、１つまたは複数の命令またはコードとして、コンピュータ可読媒体上に記憶され得るか、またはコンピュータ可読媒体を通して送信され得る。他の例およびインプリメンテーションは、本開示および添付された特許請求の範囲内にある。例えば、ソフトウェアの性質に起因して、上述された機能は、プロセッサによって実行されるソフトウェア、ハードウェア、ファームウェア、ハード配線、またはこれらのうちの任意のものの組み合わせを使用してインプリメントされることができる。機能をインプリメントする特徴はまた、機能の一部分が異なる物理的ロケーションにおいてインプリメントされるように分散されることを含め、様々な位置において物理的にロケートされ得る。また、特許請求の範囲を含め、ここに使用される場合、項目のリスト（例えば、「〜のうちの少なくとも１つ（at least one of）」または「〜のうちの１つまたは複数（one or more of）」のようなフレーズで始まる項目のリスト）中で使用される「または／あるいは／もしくは（or）」は、例えば、Ａ、Ｂ、またはＣのうちの少なくとも１つのリストが、Ａ、Ｂ、Ｃ、ＡとＢ、ＡとＣ、ＢとＣ、またはＡとＢとＣ（すなわち、Ａ、Ｂ、およびＣ）を意味するような、包含的なリストを示す。また、ここに使用される場合、「〜に基づいて」というフレーズは、条件の閉集合への参照として解釈されるべきではない。例えば、「条件Ａに基づいて」と説明された例証的なステップは、本開示の範囲から逸脱することなしに、条件Ａと条件Ｂとの両方に基づき得る。言い換えれば、ここに使用される場合、「〜に基づいて」というフレーズは、「〜に少なくとも部分的に基づいて」というフレーズと同じように解釈されるべきである。
【０１７４】
[0182]  コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または専用コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望されるプログラムコード手段を記憶または搬送するために使用されることができ、且つ汎用または専用コンピュータ、もしくは汎用または専用プロセッサによってアクセスされることができる任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、ここに使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１７５】
[0183]  ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。このことから、本開示は、ここに説明された例および設計に限定されず、ここに開示された原理および新規の特徴と一致する最も広い範囲が付与されるべきである。
【図１】
2020521375.tif 000003
【図２】
2020521375.tif 000004
【図３】
2020521375.tif 000005
【図４】
2020521375.tif 000006
【図５】
2020521375.tif 000007
【図６】
2020521375.tif 000008
【図７】
2020521375.tif 000009
【図８】
2020521375.tif 000010
【図９】
2020521375.tif 000011
【図１０】
2020521375.tif 000012
【図１１】
2020521375.tif 000013
【図１２】
2020521375.tif 000014
【図１３】
2020521375.tif 000015
【図１４】
2020521375.tif 000016
【図１５】
2020521375.tif 000017
【図１６】
2020521375.tif 000018
【国際調査報告】
2020521375.tif 000019
2020521375.tif 000020
2020521375.tif 000021
2020521375.tif 000022